(57)【要約】      （修正有）【課題】冷媒使用機器に使用される冷媒の量を管理する冷媒管理システムを提供する。【解決手段】冷媒管理システムのコンピュータは、取得部と生成部を有し、取得部は第１情報、冷媒既充填量、冷媒使用量を取得し、生成部は冷媒使用量と第１情報の業者情報を用いて第２情報を生成する。第１情報は、冷媒使用機器を特定する機器特定情報と、冷媒使用機器業者に関する情報と、冷媒使用機器に追加で充填された冷媒追加充填量を含む冷媒追加充填量情報を有する。冷媒既充填量は冷媒使用機器に予め充填される冷媒量であり、冷媒使用量は冷媒使用機器に使用される冷媒量であり、第２情報は冷媒使用量と業者を関連づけた情報である。取得部は、冷媒使用機器の据付又はメンテナンス時に第１情報を取得し、第１情報の機器特定情報に基づき冷媒既充填量を取得し、冷媒既充填量と第１情報の冷媒追加充填量情報に含まれる冷媒追加充填量を合計して冷媒使用量を取得する。【選択図】図８
2020177516.tif 000002
【特許請求の範囲】
【請求項１】
一又は複数のコンピュータ（２０）を備え、前記一又は複数のコンピュータは、取得部（２１）と生成部（２３）とを有し、
前記取得部は、
冷媒使用機器（３０）の据付時及びメンテナンス時の少なくとも一方において、前記冷媒使用機器を特定するための機器特定情報と、前記冷媒使用機器に関する業務を行う業者に関する業者情報と、前記冷媒使用機器に追加で充填された冷媒の量である冷媒追加充填量を含む冷媒追加充填量情報とを有する第１情報を取得し、
取得した前記第１情報の前記機器特定情報に基づいて前記冷媒使用機器に予め充填されている冷媒の量である冷媒既充填量を取得し、
取得した前記冷媒既充填量と、取得した前記第１情報の前記冷媒追加充填量情報に含まれる前記冷媒追加充填量とを合計することで前記冷媒使用機器に使用されている冷媒の量である冷媒使用量を取得し、
前記生成部は、前記取得部が取得した前記冷媒使用量と、前記取得部が取得した前記第１情報の前記業者情報とを用いて、前記冷媒使用量と前記業者とを関連づけた第２情報を生成する、
冷媒管理システム（１００）。
【請求項２】
前記一又は複数のコンピュータは、記憶部（２２）をさらに有し、
前記記憶部は、前記機器特定情報と関連づけて前記冷媒既充填量を記憶し、
前記取得部は、取得した前記第１情報の前記機器特定情報に基づいて、前記記憶部が記憶している前記冷媒既充填量を取得する、
請求項１に記載の冷媒管理システム。
【請求項３】
前記取得部は、
取得した前記第１情報の前記機器特定情報に基づいて前記冷媒使用機器の能力に関する能力情報を取得し、
取得した前記能力情報に基づいて前記冷媒既充填量を取得する、
請求項１に記載の冷媒管理システム。
【請求項４】
前記取得部は、
前記冷媒使用機器の能力に関する能力情報を含む入力データを取得し、
前記入力データに含まれる前記能力情報に基づいて前記冷媒既充填量を取得する、
請求項１に記載の冷媒管理システム。
【請求項５】
前記取得部は、
前記機器特定情報と関連づけて前記冷媒既充填量を記憶している場合には、取得した前記第１情報の前記機器特定情報に基づいて、記憶している前記冷媒既充填量を取得し、
前記機器特定情報と関連づけて前記冷媒既充填量を記憶していない場合には、
取得した前記第１情報の前記機器特定情報に基づいて前記冷媒使用機器の能力に関する能力情報を取得し、
取得した前記能力情報に基づいて前記冷媒既充填量を取得する、
請求項１に記載の冷媒管理システム。
【請求項６】
前記取得部は、複数の前記第１情報に基づいて、前記業者が業務対象としている複数の前記冷媒使用機器の前記冷媒使用量の総量を取得し、
前記生成部は、前記第２情報として、さらに、前記取得部が取得した前記総量と、前記業者とを関連づけた情報を生成する、
請求項１〜５のいずれか一項に記載の冷媒管理システム。
【請求項７】
前記取得部は、前記第１情報に基づいて、所定期間内に前記冷媒使用機器から回収される予定の冷媒の量である冷媒回収予定量を取得し、
前記生成部は、前記第２情報として、さらに、前記取得部が取得した前記冷媒回収予定量と、前記業者とを関連づけた情報を生成する、
請求項１〜６のいずれか一項に記載の冷媒管理システム。
【請求項８】
前記第１情報は、前記冷媒使用機器の据付時における据付作業、及び、前記冷媒使用機器のメンテナンス時におけるメンテナンス作業の少なくとも一方が行われた作業日又は作業月を含む第３情報をさらに含み、
前記取得部は、前記第３情報に基づいて前記冷媒回収予定量を取得する、
請求項７に記載の冷媒管理システム。
【請求項９】
前記取得部は、前記第３情報に含まれる前記作業日又は前記作業月から所定期間が経過した前記冷媒使用機器に使用されている冷媒の量に基づいて前記冷媒回収予定量を取得する、
請求項８に記載の冷媒管理システム。
【請求項１０】
冷媒使用機器（３０）の据付時及びメンテナンス時の少なくとも一方において、前記冷媒使用機器を特定するための機器特定情報と、前記冷媒使用機器に関する業務を行う業者に関する業者情報と、前記冷媒使用機器に追加で充填された冷媒の量である冷媒追加充填量を含む冷媒追加充填量情報とを有する第１情報を取得し、
取得した前記第１情報の前記機器特定情報に基づいて前記冷媒使用機器に予め充填されている冷媒の量である冷媒既充填量を取得し、
取得した前記冷媒既充填量と、取得した前記第１情報の前記冷媒追加充填量情報に含まれる前記冷媒追加充填量とを合計することで前記冷媒使用機器に使用されている冷媒の量である冷媒使用量を取得し、
取得した前記冷媒使用量と、取得した前記第１情報の前記業者情報とを用いて、前記冷媒使用量と前記業者とを関連づけた第２情報を生成する、
冷媒管理方法。
【発明の詳細な説明】
【技術分野】
【０００１】
冷媒を管理するためのシステム及び方法
【背景技術】
【０００２】
従来、特許文献１（特開２０１５−１２５６７２号公報）に開示されているように、フロン類回収業者に引き渡された又は引き渡される予定のフロン類冷媒に関する情報に基づいて、冷媒の再利用等の目的で冷媒の管理を行うシステムが知られている。
【発明の概要】
【発明が解決しようとする課題】
【０００３】
回収業者に引き渡される前の冷媒の管理まで行うことが難しいという課題がある。
【課題を解決するための手段】
【０００４】
第１観点の冷媒管理システムは、一又は複数のコンピュータを備える。コンピュータは、取得部と生成部とを有する。取得部は、第１情報を取得し、冷媒既充填量を取得し、冷媒使用量を取得する。生成部は、第２情報を生成する。第１情報は、冷媒使用機器を特定するための機器特定情報と、冷媒使用機器に関する業務を行う業者に関する業者情報と、冷媒使用機器に追加で充填された冷媒の量である冷媒追加充填量を含む冷媒追加充填量情報とを有する。冷媒既充填量は、冷媒使用機器に予め充填されている冷媒の量である。冷媒使用量は、冷媒使用機器に使用されている冷媒の量である。第２情報は、冷媒使用量と業者とを関連づけた情報である。取得部は、冷媒使用機器の据付時及びメンテナンス時の少なくとも一方において第１情報を取得する。取得部は、取得した第１情報の機器特定情報に基づいて冷媒既充填量を取得する。取得部は、取得した冷媒既充填量と、取得した第１情報の冷媒追加充填量情報に含まれる冷媒追加充填量とを合計することで冷媒使用量を取得する。生成部は、取得部が取得した冷媒使用量と、取得部が取得した第１情報の業者情報とを用いて第２情報を生成する。
【０００５】
第１観点の冷媒管理システムは、回収業者に引き渡される前の冷媒の管理を行うことができる。
【０００６】
第２観点の冷媒管理システムは、第１観点のシステムであって、コンピュータは、記憶部をさらに有する。記憶部は、機器特定情報と関連づけて冷媒既充填量を記憶する。取得部は、取得した第１情報の機器特定情報に基づいて、記憶部が記憶している冷媒既充填量を取得する。
【０００７】
第２観点の冷媒管理システムは、冷媒使用機器に使用されている冷媒の量を取得することができる。
【０００８】
第３観点の冷媒管理システムは、第１観点のシステムであって、取得部は、取得した第１情報の機器特定情報に基づいて冷媒使用機器の能力に関する能力情報を取得し、取得した能力情報に基づいて冷媒既充填量を取得する。
【０００９】
第３観点の冷媒管理システムは、冷媒使用機器に予め充填されている冷媒の量の予測値を取得することができる。
【００１０】
第４観点の冷媒管理システムは、第１観点のシステムであって、取得部は、冷媒使用機器の能力に関する能力情報を含む入力データを取得し、入力データに含まれる能力情報に基づいて冷媒既充填量を取得する。
【００１１】
第４観点の冷媒管理システムは、冷媒使用機器に予め充填されている冷媒の量の予測値を取得することができる。
【００１２】
第５観点の冷媒管理システムは、第１観点のシステムであって、取得部は、機器特定情報と関連づけて冷媒既充填量を記憶している場合には、取得した第１情報の機器特定情報に基づいて、記憶している冷媒既充填量を取得する。コンピュータは、機器特定情報と関連づけて冷媒既充填量を記憶していない場合には、取得した第１情報の機器特定情報に基づいて冷媒使用機器の能力に関する能力情報を取得し、取得した能力情報に基づいて冷媒既充填量を取得する。
【００１３】
第５観点の冷媒管理システムは、冷媒使用機器に予め充填されている冷媒の量として用いることができる適切な値を取得することができる。
【００１４】
第６観点の冷媒管理システムは、第１観点から第５観点のいずれかのシステムであって、取得部は、複数の第１情報に基づいて、業者が業務対象としている複数の冷媒使用機器の冷媒使用量の総量を取得する。生成部は、第２情報として、さらに、取得部が取得した総量と、業者とを関連づけた情報を生成する。
【００１５】
第６観点の冷媒管理システムは、各業者が業務対象としている全ての冷媒使用機器に充填され使用されている冷媒の量を業者と関連付けて管理することができる。
【００１６】
第７観点の冷媒管理システムは、第１観点から第６観点のいずれかのシステムであって、取得部は、第１情報に基づいて、所定期間内に冷媒使用機器から回収される予定の冷媒の量である冷媒回収予定量を取得する。生成部は、第２情報として、さらに、取得部が取得した冷媒回収予定量と、業者とを関連づけた情報を生成する。
【００１７】
第７観点の冷媒管理システムは、冷媒使用機器から回収される見込みがある冷媒の量を管理することができる。
【００１８】
第８観点の冷媒管理システムは、第７観点のシステムであって、第１情報は、第３情報をさらに含む。取得部は、第３情報に基づいて冷媒回収予定量を取得する。第３情報は、冷媒使用機器の据付時における据付作業、及び、冷媒使用機器のメンテナンス時におけるメンテナンス作業の少なくとも一方が行われた作業日又は作業月を含む。
【００１９】
第８観点の冷媒管理システムは、所定期間内に冷媒使用機器から回収される冷媒の量の適切な予測値として冷媒回収予定量を用いることができる。
【００２０】
第９観点の冷媒管理システムは、第８観点のシステムであって、取得部は、第３情報に含まれる作業日又は作業月から所定期間が経過した冷媒使用機器に使用されている冷媒の量に基づいて冷媒回収予定量を取得する。
【００２１】
第９観点の冷媒管理システムは、所定期間内に冷媒使用機器から回収される冷媒の量の適切な予測値として冷媒回収予定量を用いることができる。
【００２２】
第１０観点の冷媒管理方法は、第１情報を取得し、冷媒既充填量を取得し、冷媒使用量を取得し、第２情報を生成する。第１情報は、冷媒使用機器を特定するための機器特定情報と、冷媒使用機器に関する業務を行う業者に関する業者情報と、冷媒使用機器に追加で充填された冷媒の量である冷媒追加充填量を含む冷媒追加充填量情報とを有する。冷媒既充填量は、冷媒使用機器に予め充填されている冷媒の量である。冷媒使用量は、冷媒使用機器に使用されている冷媒の量である。第２情報は、冷媒使用量と業者とを関連づけた情報である。この方法では、冷媒使用機器の据付時及びメンテナンス時の少なくとも一方において第１情報を取得する。この方法では、取得した第１情報の機器特定情報に基づいて冷媒既充填量を取得する。この方法では、取得した冷媒既充填量と、取得した第１情報の冷媒追加充填量情報に含まれる冷媒追加充填量とを合計することで冷媒使用量を取得する。この方法では、取得した冷媒使用量と、取得した第１情報の業者情報とを用いて第２情報を生成する。
【００２３】
第１０観点の冷媒管理方法は、回収業者に引き渡される前の冷媒の管理を行うことができる。
【図面の簡単な説明】
【００２４】
【図１】冷媒循環サイクルの模式図である。
【図２】冷媒管理システム１００のネットワーク構成を示す図である。
【図３】冷媒管理システム１００の全体構成を示す模式図である。
【図４】入力端末１０ａ，１０ｂ，・・・、管理者用端末８０及び管理サーバ２０のブロック図である。
【図５】機器情報データベースＤＢ１を説明するための図である。
【図６】業者ごとの業務内容を示す表である。
【図７】冷媒既充填量を取得する処理のフローチャートである。
【図８】据付業者Ｃ１の入力によって管理サーバ２０が取得する第１情報から生成された第２情報を説明するための図である。
【図９】メンテナンス業者Ｃ１の入力によって管理サーバ２０が取得する第１情報から生成された第２情報を説明するための図である。
【図１０】回収業者Ｃ１の入力によって管理サーバ２０が取得する第１情報を説明するための図である。
【図１１】再生業者Ｃ４の入力によって管理サーバ２０が取得する第１情報を説明するための図である。
【図１２】分配業者Ｃ５の入力によって管理サーバ２０が取得する第１情報を説明するための図である。
【図１３】管理者Ｓのみが閲覧権限を有する第２情報の一例を説明するための図である。
【図１４】廃却業者Ｃ９の入力によって管理サーバ２０が取得する第１情報を説明するための図である。
【図１５】変形例Ｂにおける第２情報を説明するための図である。
【図１６】変形例Ｃにおける第２情報を説明するための図である。
【図１７】変形例Ｃにおける第２情報を説明するための図である。
【発明を実施するための形態】
【００２５】
（１）全体構成
冷媒管理システム１００は、冷媒使用機器に使用されている冷媒の管理を行うシステムである。冷媒使用機器とは、冷媒を用いる蒸気圧縮式の冷凍サイクルを備える機器である。冷媒使用機器は、例えば、空気調和装置、空気清浄装置、ヒートポンプ式給湯装置、冷凍装置又は冷蔵装置である。冷媒使用機器に使用される冷媒は、例えば、Ｒ３２、Ｒ４５２Ｂ、Ｒ４１０Ａ、Ｒ４５４Ｂ、ＨＦＯ系混合冷媒（例えば、ＨＦＯ−１１２３とＲ３２との混合冷媒）、ＣＯ２又はＣＦ３Ｉ（単体もしくはその混合冷媒）である。
【００２６】
冷媒管理システム１００が行う冷媒の管理とは、冷媒循環サイクルで流通している冷媒を一元的に把握すること、又は、把握した冷媒の情報を各業者に提供することを意味する。図１は、冷媒循環サイクルの模式図である。冷媒循環サイクルは、主として、生産段階、分配段階、据付段階、メンテナンス段階、回収段階、再生段階、及び、廃却段階から構成される。図１では、冷媒の流れが矢印で示されている。冷媒は、ボンベ等の専用の容器、又は、冷媒使用機器に充填された状態で流通する。図１には、冷媒が充填された容器Ｒ１、及び、冷媒が充填された冷媒使用機器Ｒ２の流れが示されている。
【００２７】
生産段階では、冷媒製造業者によって冷媒が新規に生産される。分配段階では、新規に生産された冷媒が専用のボンベ等に充填されて出荷される。冷媒の出荷先は、例えば、冷媒使用機器の製造業者（以下、「機器製造業者」と呼ぶ。）、冷媒使用機器の据付業者、及び、冷媒使用機器のメンテナンス業者である。機器製造業者、据付業者及びメンテナンス業者は、同一の業者であってもよく、互いに異なる業者であってもよい。機器製造業者は、冷媒使用機器の製造時又は出荷時において、必要に応じて冷媒使用機器に冷媒を充填する。
【００２８】
分配段階では、冷媒の分配業者によって、新規に生産された冷媒、又は、再生された冷媒が分配される。分配業者は、例えば、冷媒製造業者が製造した冷媒、又は、再生された冷媒を買い取り、機器製造業者、据付業者及びメンテナンス業者の少なくとも１つに販売する。分配業者は、冷媒の販売業者であってもよい。分配業者は、冷媒が充填された冷媒使用機器を分配する業者であってもよい。
【００２９】
据付段階では、据付業者によって所定の設置場所に冷媒使用機器が据え付けられる。所定の設置場所は、例えば、冷媒使用機器の保有者が利用又は所有している建物等の物件である。据付業者は、冷媒使用機器の据付時において、必要に応じて、冷媒が充填されたボンベ等を用いて、冷媒使用機器及び冷媒配管に冷媒を充填する。
【００３０】
メンテナンス段階では、メンテナンス業者によって、設置された冷媒使用機器の保守管理が行われる。具体的には、メンテナンス業者は、冷媒使用機器の点検作業又は修理作業等を行う。メンテナンス業者は、必要に応じて、冷媒が充填されたボンベ等を用いて、冷媒使用機器に充填されている冷媒の交換作業、又は、冷媒使用機器に冷媒を補充するための再充填作業を行う。冷媒の交換作業は、例えば、冷媒使用機器が設置された後、所定の期間が経過した時に行われる。冷媒の再充填作業は、例えば、冷媒使用機器に充填されている冷媒の量が不足していることが点検時に発覚した時に行われる。
【００３１】
回収段階では、冷媒の回収業者によって、冷媒使用機器、又は、物件に据え付けられた冷媒使用機器及び冷媒配管に充填されている冷媒が回収される。回収業者は、冷媒使用機器の修理、移設又は廃棄等の際に、冷媒を回収する。冷媒の回収方法としては、冷媒配管に充填されている冷媒を冷媒使用機器内に集めて回収する方法、及び、冷媒使用機器と冷媒配管中の冷媒を専用のボンベ等に充填して回収する方法等がある。回収業者は、冷媒使用機器に充填されている冷媒を交換する時にも、冷媒使用機器から冷媒を取り出して回収する。
【００３２】
再生段階では、冷媒の再生業者によって、回収業者が回収した冷媒の再生処理が行われる。冷媒の再生処理とは、例えば、回収された冷媒から不純物を取り除く処理、及び、回収された冷媒を原料にして冷媒を再生産する処理である。再生業者は、再生予定の冷媒が充填されたボンベ等を回収業者から引き取って、冷媒を再生する。再生された冷媒は、専用のボンベ等に充填される。
【００３３】
廃却段階では、回収業者によって回収された冷媒の一部が廃却業者によって廃却される。冷媒の廃却とは、例えば、冷媒を化学的に破壊して人体・環境に悪影響を与えにくい物質に変換する作業、及び、使用されないように冷媒を保管する作業を意味する。廃却業者は、廃却予定の冷媒が充填された冷媒使用機器及びボンベ等を回収業者から引き取って、冷媒を廃却する。
【００３４】
以下において、「業者」とは、特に断りがない限り、機器製造業者、冷媒製造業者、据付業者、メンテナンス業者、回収業者、再生業者、及び、分配業者を指すものとする。これらの業者の少なくとも一部が同一の業者であってもよい。例えば、機器製造業者、据付業者、メンテナンス業者及び回収業者が、同一の業者であってもよく、再生業者及び分配業者が、同一の業者であってもよい。本実施形態では、据付業者、メンテナンス業者及び回収業者は、同一の業者であるとする。各業者は、冷媒管理システム１００にアクセスするために必要なログインＩＤが割り当てられている。互いに異なる複数の業者に同一のログインＩＤが割り当てられることはない。業者は、自身のログインＩＤを用いてログイン処理を行うことで冷媒管理システム１００にアクセスすることができる。
【００３５】
図２は、冷媒管理システム１００のネットワーク構成を示す図である。図３は、冷媒管理システム１００の全体構成を示す模式図である。図３に示される矢印は、冷媒管理システム１００が取り扱うデータの流れを示す。
【００３６】
冷媒管理システム１００は、主として、複数の入力端末１０ａ，１０ｂ，・・・と、１つの管理サーバ２０と、１つの管理者用端末８０と、これらを接続するネットワーク９０とから構成される。ネットワーク９０は、例えば、インターネットである。
【００３７】
入力端末１０ａ，１０ｂ，・・・は、業者によって使用及び管理されるクライアントコンピュータである。入力端末１０ａ，１０ｂ，・・・は、例えば、スマートフォン又はタブレット等の携帯端末である。業者が法人等の団体である場合、入力端末１０ａ，１０ｂ，・・・の実際の操作者は、メーカーのサービスマン等、その業者に所属している個人である。以下において、「業者」という用語は、入力端末１０ａ，１０ｂ，・・・を実際に操作する者も意味する。業者は、冷媒循環サイクルで流通している冷媒に関する作業を行う際に、入力端末１０ａ，１０ｂ，・・・を操作して、入力端末１０ａ，１０ｂ，・・・に所定のデータを入力する。入力端末１０ａ，１０ｂ，・・・は、業者によって入力されたデータを、ネットワーク９０を介して管理サーバ２０に送信する機能を有する。入力端末１０ａ，１０ｂ，・・・は、必要に応じて、管理サーバ２０から所定のデータを受信する機能を有する。冷媒管理システム１００では、図３に示されるように、第１業者Ｃ１、再生業者Ｃ４、分配業者Ｃ５、機器製造業者Ｃ６、冷媒製造業者Ｃ７及び廃却業者Ｃ９は、それぞれ、入力端末１０ａ、入力端末１０ｂ、入力端末１０ｃ、入力端末１０ｄ、入力端末１０ｅ、入力端末１０ｆを所有している。本実施形態では、第１業者Ｃ１は、据付業者、メンテナンス業者及び回収業者の全てを兼ねる業者である。再生業者Ｃ４、分配業者Ｃ５、機器製造業者Ｃ６、冷媒製造業者Ｃ７及び廃却業者Ｃ９は、互いに異なる業者であり、かつ、第１業者Ｃ１とは異なる業者である。
【００３８】
管理サーバ２０は、冷媒管理システム１００の管理者Ｓによって管理されるサーバコンピュータである。管理サーバ２０として、レンタルサーバ、又は、クラウドサービスを利用した仮想サーバ等が用いられてもよい。管理サーバ２０は、入力端末１０ａ，１０ｂ，・・・から受信したデータの蓄積・処理、ネットワーク９０の中継及びネットワーク９０の管理等の作業を行う。管理サーバ２０は、ネットワーク９０を介して、入力端末１０ａ，１０ｂ，・・・との間で所定のデータを送受信する機能を有する。管理サーバ２０は、図２に示されるように、管理者用データ２０ａ及びユーザ用データ２０ｂを記憶している。管理者用データ２０ａとは、冷媒管理システム１００の管理者Ｓのみが閲覧権限を有するデータである。ユーザ用データ２０ｂとは、業者が閲覧権限を有するデータである。管理サーバ２０は、業者ごとにユーザ用データ２０ｂを記憶している。冷媒管理システム１００にログインした業者は、自身の入力端末１０ａ，１０ｂ，・・・を用いて、自身のユーザ用データ２０ｂにアクセスすることができる。管理者Ｓは、全ての業者のユーザ用データ２０ｂの閲覧権限を有する。
【００３９】
管理者用端末８０は、冷媒管理システム１００の管理者Ｓによって使用されるコンピュータである。管理者Ｓは、管理者用端末８０を用いて管理サーバ２０にアクセスして、冷媒循環サイクルで流通している冷媒を管理する。例えば、管理者Ｓは、管理者用端末８０を用いて管理サーバ２０から所定のデータを取得して、冷媒管理システム１００によって管理されている冷媒に関する情報及びサービスを業者に提供する。
【００４０】
業者は、入力端末１０ａ，１０ｂ，・・・を操作して、管理サーバ２０に所定のデータを直接入力することができる。管理サーバ２０は、業者が入力端末１０ａ，１０ｂ，・・・を操作して管理サーバ２０に入力したデータに基づいて、第１情報を取得して記憶することができる。業者が管理者Ｓを兼ねている場合、業者は、管理者用のログインＩＤと業者用のログインＩＤとの両方を有することになる。管理サーバ２０は、業者が管理者用端末８０を操作して管理サーバ２０に入力したデータに基づいて、第１情報を取得して記憶することができる。管理サーバ２０は、取得した第１情報に基づいて第２情報を生成して記憶することができる。第１情報及び第２情報の詳細は後述する。
【００４１】
（２）詳細構成
図４は、入力端末１０ａ，１０ｂ，・・・、管理者用端末８０及び管理サーバ２０のブロック図である。
【００４２】
（２−１）入力端末
入力端末１０ａ，１０ｂ，・・・は、主として、入力部１１と、送信部１２と、受信部１３と、表示部１４と、記憶部１５と、制御部１６とを備える。
【００４３】
入力部１１は、業者による入力端末１０ａ，１０ｂ，・・・の操作を受け付ける。送信部１２は、ネットワーク９０を介して管理サーバ２０にデータを送信する。受信部１３は、ネットワーク９０を介して管理サーバ２０からデータを受信する。受信部１３が受信するデータは、例えば、管理サーバ２０に記憶されている第１情報及び第２情報である。表示部１４は、入力端末１０ａ，１０ｂ，・・・のディスプレイに所定のデータを表示させる。表示部１４によって表示されるデータは、例えば、業者が入力端末１０を操作して管理サーバ２０に入力したデータ、及び、管理サーバ２０から受信したデータである。記憶部１５は、管理サーバ２０から受信したデータ等を記憶する。制御部１６は、入力部１１と、送信部１２と、受信部１３と、表示部１４と、記憶部１５とを制御する。
【００４４】
（２−２）管理者用端末
管理者用端末８０は、主として、入力部８１と、送信部８２と、受信部８３と、表示部８４と、記憶部８５と、制御部８６とを備える。
【００４５】
入力部８１は、管理者Ｓによる管理者用端末８０の操作を受け付ける。送信部８２は、ネットワーク９０を介して管理サーバ２０にデータを送信する。受信部８３は、ネットワーク９０を介して管理サーバ２０からデータを受信する。受信部８３が受信するデータは、例えば、管理サーバ２０に記憶されている第１情報及び第２情報である。表示部８４は、管理者用端末８０のディスプレイに所定のデータを表示させる。表示部８４によって表示されるデータは、例えば、管理者Ｓが管理者用端末８０を操作して管理サーバ２０に入力したデータ、及び、管理サーバ２０から受信したデータである。記憶部８５は、管理サーバ２０から受信したデータ等を記憶する。制御部８６は、入力部８１と、送信部８２と、受信部８３と、表示部８４と、記憶部８５とを制御する。
【００４６】
（２−３）管理サーバ
管理サーバ２０は、主として、制御部２６と、記憶部２２と、送信部２４と、受信部２５とを備える。
【００４７】
制御部２６は、プログラムを読み込んで実行することができる、マイクロコントローラ及びＣＰＵ等である。制御部２６は、主として、取得部２１と生成部２３とを有する。取得部２１及び生成部２３は、制御部２６によって読み込まれて実行されるプログラムによって実現される機能に相当する。
【００４８】
取得部２１は、業者が入力端末１０ａ，１０ｂ，・・・又は管理者用端末８０を操作して管理サーバ２０に入力したデータに基づいて、第１情報を取得する。取得部２１は、冷媒使用機器の据付時、及び、冷媒使用機器のメンテナンス時の少なくとも１つの時点において、第１情報を取得する。言い換えると、取得部２１は、図１に示される冷媒循環サイクルの据付段階及びメンテナンス段階の少なくとも１つの段階において、第１情報を取得する。
【００４９】
生成部２３は、取得部２１が取得した第１情報に基づいて、第２情報を生成する。
【００５０】
記憶部２２は、ＨＤＤ及びＳＳＤ等の補助記憶装置である。記憶部２２は、取得部２１が取得した第１情報、及び、第１情報から生成された第２情報を記憶する。記憶部２２は、図４に示されるように、機器情報データベースＤＢ１と、冷媒情報データベースＤＢ２と、アカウント情報データベースＤＢ３と、アカウント管理データベースＤＢ４と、イベント情報データベースＤＢ５と、冷媒管理情報データベースＤＢ６とから構成される。
【００５１】
送信部２４及び受信部２５は、ネットワーク機器である。送信部２４は、第１情報、又は、生成部２３が生成した第２情報を管理者Ｓ又は業者に送信する。具体的には、例えば、送信部２４は、管理者Ｓ又は業者が使用している端末等に第１情報又は第２情報を送信する。受信部２５は、ネットワーク９０を介して入力端末１０ａ，１０ｂ，・・・及び管理者用端末８０からデータを受信する。
【００５２】
（２−４）管理サーバの詳細
（２−４−１）データベース
管理サーバ２０が記憶部２２内に有している各データベースについて説明する。
【００５３】
図５は、機器情報データベースＤＢ１を説明するための図である。機器情報データベースＤＢ１は、冷媒管理システム１００に登録されている冷媒使用機器３０に関する情報を記憶している。機器情報データベースＤＢ１の各レコードは、機器ＩＤと、機種名と、機器製造業者ＩＤと、冷媒種別と、冷媒既充填量と、能力情報とを少なくとも含む。機器情報データベースＤＢ１の主キーとして、機器ＩＤが用いられてもよい。
【００５４】
機器ＩＤとは、冷媒管理システム１００に冷媒使用機器３０を登録する際に、冷媒使用機器３０に付与されるＩＤである。機器ＩＤは、冷媒使用機器３０の製造番号等であってもよい。機種名とは、冷媒使用機器３０の機種を表す文字列である。機器製造業者ＩＤとは、冷媒使用機器３０を製造した機器製造業者Ｃ６に付与される業者ＩＤである。冷媒種別とは、冷媒使用機器３０に使用される冷媒の種類を表す文字列である。冷媒既充填量とは、冷媒使用機器３０に予め充填されている冷媒の量である。冷媒の量は、冷媒の重量で表される。冷媒の量の単位は、キログラムである。能力情報とは、冷媒使用機器３０の馬力である。
【００５５】
機器情報データベースＤＢ１が記憶している機器情報は、機器製造業者Ｃ６が機器製造時又は機器出荷時に管理サーバ２０に登録する情報である。機器情報データベースＤＢ１に登録されていない機器情報は、据付業者Ｃ１又はメンテナンス業者Ｃ２が管理サーバ２０にアクセスして登録できるようになっている。
【００５６】
本実施形態では、管理サーバ２０は、機器情報データベースＤＢ１を記憶部２２内に有しているが、機器製造業者Ｃ６が保有するデータベースにネットワークを介してアクセスすることで機器情報を取得してもよい。
【００５７】
冷媒情報データベースＤＢ２は、冷媒管理システム１００に登録されている冷媒の流通に利用されるボンベに関する情報を記憶している。冷媒情報データベースＤＢ２の各レコードは、ボンベＩＤと、分配業者ＩＤと、冷媒種別と、冷媒量とを少なくとも含む。
【００５８】
アカウント情報データベースＤＢ３は、冷媒管理システム１００に登録されている各業者と管理者に関する情報を記憶している。アカウント情報データベースＤＢ３の各レコードは、業者ＩＤと、業者名と、業務内容と、ログインＩＤとを少なくとも含む。業者ＩＤとは、冷媒管理システム１００に第１業者Ｃ１等の業者を登録する際に、業者に付与されるＩＤである。業者が登録される際、既に登録されている業者に付与された業者ＩＤと重複しないように、管理サーバ２０は、業者に業者ＩＤを付与して業者を登録する。業務内容とは、据付業務及びメンテナンス業務等の業務内容を表す文字列である。ログインＩＤとは、業者が管理サーバ２０にアクセスする際に使用するＩＤである。ログインＩＤと業者ＩＤとは関連付けられて、アカウント情報データベースＤＢ３に記憶されている。
【００５９】
アカウント管理データベースＤＢ４は、冷媒管理システム１００に登録されている各業者に対する権限付加情報を記憶している。具体的には、アカウント管理データベースＤＢ４には、業務内容、記憶部２２に記憶されている情報の閲覧権限、及び、管理サーバ２０にアクセスして行える作業の権限に関する情報が業者ごとに保存されている。図６は、業者ごとの業務内容を示すテーブルである。図６には、各業者が行うことができる業務の種類が示されている。図６において、分配業務、据付業務、メンテナンス業務、回収業務、再生業務、及び、廃却業務は、それぞれ、図１の分配段階、据付段階、メンテナンス段階、回収段階、再生段階、及び、廃却段階において業者によって行われる業務を意味する。
【００６０】
例えば、図６において、業者ＩＤが「ＣＡ００６」である第１業者Ｃ１は、据付業務、メンテナンス業務及び回収業務を行うことができる。この場合、管理サーバ２０は、第１業者Ｃ１が行うことができる業務の種類に基づいて、第１業者Ｃ１は、管理サーバ２０に登録されている機器情報データベースＤＢ１等にアクセスできることを決定する。そして、管理サーバ２０は、第１業者Ｃ１からの要求に応じて、機器情報データベースＤＢ１等から所定のデータを読み込んで、第１業者Ｃ１の入力端末１０ａに送信する。
【００６１】
また、例えば、図６において、業者ＩＤが「ＧＡ０１９」である再生業者Ｃ４は、再生業務のみを行うことができる。この場合、管理サーバ２０は、再生業者Ｃ４が行うことができる業務の種類に基づいて、再生業者Ｃ４は、管理サーバ２０に登録されている機器情報データベースＤＢ１等にアクセスできないことを決定する。
【００６２】
イベント情報データベースＤＢ５は、冷媒管理システム１００に登録されている各業者が行った業務の内容を記憶している。イベント情報データベースＤＢ５の各レコードは、業務内容と、物件ＩＤと、機器保有者ＩＤと、機器ＩＤと、機器設置場所と、冷媒追加充填量とを少なくとも含む。物件ＩＤとは、対象業務を行った物件に付与されるＩＤである。機器保有者ＩＤとは、冷媒使用機器３０の保有者に付与されるＩＤである。機器ＩＤとは、業務対象となった機器に付与されるＩＤである。機器設置場所とは、対象業務を行った物件の住所を表す文字列である。冷媒追加充填量とは、対象業務を行った際に機器又は冷媒配管に追加充填された冷媒の量である。
【００６３】
冷媒管理情報データベースＤＢ６は、第１情報及び第２情報を記憶している。
【００６４】
（２−４−２）冷媒既充填量の取得方法
管理サーバ２０の取得部２１は、各業者の業務対象となる冷媒使用機器３０に出荷時に充填されている冷媒量である冷媒既充填量を取得する。図７に冷媒既充填量を取得する処理のフローチャートを示す。図７には、ステップＳ１１〜Ｓ２０の処理が示されている。なお、冷媒既充填量を取得する処理は、各業者が管理サーバ２０にアクセスし業務内容を登録するときと、管理サーバ２０の生成部２３が第２情報を生成するときに行われる。
【００６５】
各業者が管理サーバ２０にアクセスし業務内容の登録を開始すると、図７のフローが開始される。ステップＳ１１では、業者は、入力端末１０ａ，１０ｂ，・・・を操作して、冷媒既充填量を取得する対象である冷媒使用機器３０の機器ＩＤを管理サーバ２０に入力する。ステップＳ１２〜Ｓ１９は、管理サーバ２０の取得部２１によって行われる処理である。
【００６６】
ステップＳ１２では、ステップＳ１１で入力された機器ＩＤに対応する冷媒使用機器３０の冷媒既充填量が機器情報データベースＤＢ１に登録されているか否かが判定される。ステップＳ１２において登録されていると判定された場合、ステップＳ１３において、機器情報データベースＤＢ１から、冷媒使用機器３０の冷媒既充填量が取得される。ステップＳ１２において登録されていないと判定された場合、ステップＳ１４において、冷媒使用機器３０の能力情報を含む入力データが入力されているか否か、又は、冷媒使用機器３０の能力情報が機器情報データベースＤＢ１に登録されているか否かが判定される。
【００６７】
ステップＳ１４において能力情報を含む入力データが入力されている、又は、能力情報が機器情報データベースＤＢ１に登録されていると判定された場合、ステップＳ１５において、入力データに含まれる能力情報、又は、登録されている能力情報に基づいて冷媒既充填量が予測され、予測値が冷媒既充填量として取得される。例えば、能力が８馬力の場合は冷媒既充填量が２０ｋｇであり、１０馬力の場合は冷媒既充填量が２１ｋｇであり、１２馬力の場合は冷媒既充填量が２３ｋｇであり、１４馬力の場合は冷媒既充填量が２４ｋｇであると予測して、冷媒既充填量を取得する。ステップＳ１４において能力情報を含む入力データが入力されていない、かつ、能力情報が機器情報データベースＤＢ１に登録されていないと判定された場合、ステップＳ１６において、冷媒使用機器３０の冷媒既充填量が入力されているか否かが判定される。ステップＳ１６において入力されていると判定された場合、ステップＳ１７において、冷媒既充填量の入力値が妥当であるか否かが判定される。例えば、冷媒既充填量が所定の範囲内にあるか否かが判定される。所定の範囲とは、例えば上記の能力情報に基づいて予測された値に余裕を持たせた１８ｋｇから２６ｋｇの間としてもよい。ステップＳ１７において入力値が妥当であると判定された場合、ステップＳ１８において、入力値が冷媒既充填量として取得される。
ステップＳ１６において入力されていないと判定された場合、又は、ステップＳ１７において入力値が妥当でないと判定された場合、ステップＳ１９において、冷媒既充填量のデフォルト値が取得される。ステップＳ２０では、管理サーバ２０の記憶部２２は、ステップＳ１３，Ｓ１５，Ｓ１８，Ｓ１９で取得された冷媒既充填量を冷媒使用機器３０の冷媒既充填量として記憶する。
【００６８】
（２−５）第１情報及び第２情報
管理サーバ２０が取り扱うデータである第１情報及び第２情報について説明する。
【００６９】
業者は、入力端末１０ａ，１０ｂ，・・・を操作して管理サーバ２０にアクセスし、管理サーバ２０が作成した所定のフォーマットに必要なデータを入力する。第１情報は、業者が入力したデータに基づいて管理サーバ２０が取得する情報である。
【００７０】
第２情報は、冷媒使用機器３０に使用されている冷媒の量である冷媒使用量と、第１情報として取得した業者の情報とを関連付けた情報である。「冷媒使用機器３０に使用される冷媒」は、冷媒使用機器３０に充填されて使用されている冷媒、及び、冷媒使用機器３０に接続された冷媒配管に充填されている冷媒である。管理サーバ２０の取得部２１は、冷媒既充填量と冷媒追加充填量とを合計することで冷媒使用量を取得する。
【００７１】
次に、第１業者Ｃ１、再生業者Ｃ４及び分配業者Ｃ５が、それぞれ、入力端末１０ａ、入力端末１０ｂ及び入力端末１０ｃを操作して管理サーバ２０に入力したデータに基づいて、管理サーバ２０が取得する第１情報の、及び、第１情報から生成される第２情報について説明する。
【００７２】
以下において、説明を分かりやすくするために、必要に応じて、据付業者としての第１業者Ｃ１を据付業者Ｃ１と呼び、メンテナンス業者としての第１業者Ｃ１をメンテナンス業者Ｃ１と呼び、回収業者としての第１業者Ｃ１を回収業者Ｃ１と呼ぶ。
【００７３】
（２−５−１）据付業者の入力によって管理サーバが取得する第１情報、及び、第１情報から生成される第２情報
図８は、据付業者Ｃ１の入力によって管理サーバ２０が取得する第１情報から生成された第２情報Ｔ１１、Ｔ１２を説明するための図である。据付業者Ｃ１は、据付作業完了時に管理サーバ２０に据付情報の入力を行う。第１業者Ｃ１は、管理サーバ２０にログイン処理を行った後に、実施した業務の種類として据付業務を選択し、据付業者Ｃ１として、管理サーバ２０に機器ＩＤと、機器保有者ＩＤと、物件ＩＤと、機器設置場所情報と、冷媒追加充填量とを入力する。入力された各データは、それぞれ記憶部２２のイベント情報データベースＤＢ５に保存される。
【００７４】
据付業者Ｃ１の入力によって管理サーバ２０が取得する第１情報は、機器特定情報と、業者情報と、冷媒追加充填量情報とを少なくとも有する。機器特定情報とは、冷媒使用機器３０を特定するための情報であり、本実施形態では機器ＩＤである。業者情報とは、冷媒使用機器３０に関する業務を行う業者に関する情報であり、本実施例では実施者ＩＤに記載されている業者ＩＤである。冷媒追加充填量情報とは、冷媒使用機器３０又は冷媒使用機器３０に接続される冷媒配管に追加で充填された冷媒の量である冷媒追加充填量に関する情報である。
【００７５】
管理サーバ２０は、据付業者Ｃ１が管理サーバ２０にログインしたときに据付業者Ｃ１のログインＩＤからアカウント情報データベースＤＢ３に保存されている業者ＩＤを取得して、実施者ＩＤとして記憶する。
【００７６】
管理サーバ２０は、据付業者Ｃ１が入力した機器ＩＤから機種名と機器製造業者の情報を機器情報データベースＤＢ１から取得する。さらに、管理サーバ２０は、図７の冷媒既充填量の取得フローに沿って、冷媒既充填量を取得する。
【００７７】
管理サーバ２０は、据付業者Ｃ１が据付情報を管理サーバ２０に入力した後に据付情報の登録を決定すると、据付情報を登録した日付を実施年月日として取得する。
【００７８】
なお、イベント情報データベースＤＢ５に物件ＩＤが登録されている場合は、管理サーバ２０は物件ＩＤから機器設置場所情報を取得することができるため、物件ＩＤから機器設置場所情報を取得してもよい。
【００７９】
管理サーバ２０の生成部２３は、据付業者Ｃ１の入力によって取得した第１情報に続いて冷媒既充填量等の情報を取得し、図８に示されるように、第２情報Ｔ１１、Ｔ１２を生成して冷媒管理情報データベースＤＢ６に保存する。
【００８０】
図８に示される第２情報Ｔ１２では、冷媒使用量と、第２情報Ｔ１１に含まれる実施者ＩＤとが関連付けられている。図８には、第２情報Ｔ１２として、さらに、第２情報Ｔ１１に含まれる、実施年月日、機器ＩＤ、冷媒種別、冷媒既充填量及び冷媒追加充填量が示されている。
【００８１】
（２−５−２）メンテナンス業者の入力によって管理サーバが取得する第１情報、及び、第１情報から生成される第２情報
図９は、メンテナンス業者Ｃ１の入力によって管理サーバ２０が取得する第１情報から生成された第２情報Ｔ２１、Ｔ２２を説明するための図である。メンテナンス業者Ｃ１は、メンテナンス作業完了時に管理サーバ２０にメンテナンス情報の入力を行う。第１業者Ｃ１は、ログイン処理を行った後に、実施した業務の種類としてメンテナンス業務を選択し、メンテナンス業者Ｃ１として、管理サーバ２０に機器ＩＤと、機器保有者ＩＤと、物件ＩＤと、冷媒追加充填量とを入力する。入力された各データは、それぞれ記憶部２２のイベント情報データベースＤＢ５に保存される。
【００８２】
メンテナンス業者Ｃ１の入力によって管理サーバ２０が取得する第１情報は、機器特定情報と、業者情報と、冷媒追加充填量情報とを少なくとも有する。
【００８３】
管理サーバ２０は、メンテナンス業者Ｃ１がメンテナンス情報を管理サーバ２０に入力した後にメンテナンス情報の登録を決定すると、メンテナンス情報を登録した日付を実施年月日として取得する。
【００８４】
管理サーバ２０の生成部２３は、据付作業時に作成された第２情報Ｔ１１、Ｔ１２と、メンテナンス作業時に入力されたメンテナンス情報とから取得される冷媒既充填量等の情報を取得して、図９に示されるように、第２情報Ｔ２１、Ｔ２２を生成して冷媒管理データベースＤＢ６に保存する。
【００８５】
第２情報Ｔ２２は、第２情報Ｔ２１に基づいて管理サーバ２０の生成部２３が自動的に生成するデータである。メンテナンス業者Ｃ１は、入力端末１０ａを用いて管理サーバ２０から第２情報Ｔ２２を取得することができる。第２情報Ｔ２２は、冷媒使用量と業者とを関連づけた情報を少なくとも有する。冷媒使用量とは、冷媒使用機器３０にメンテナンス時に使用されている冷媒の量である。第２情報Ｔ２２の場合、冷媒使用量とは、メンテナンス業者Ｃ１が冷媒使用機器３０に冷媒を追加で充填した後において、冷媒使用機器３０に充填されている冷媒の総量である。そのため、冷媒使用量は、据付作業完了時の冷媒使用量と同量となっている。メンテナンス作業時に冷媒の追加充填が発生しているということは、据付作業時からメンテナンス作業時までの間に冷媒使用機器内の冷媒が漏れていることになる。そのため、メンテナンス作業時に冷媒を追加充填しても、追加充填後の冷媒使用量は据付作業完了時と同量となっている。
【００８６】
図９に示される第２情報Ｔ２２では、冷媒使用量と、第２情報Ｔ２１に含まれる実施者ＩＤとが関連付けられている。図９には、第２情報Ｔ２２として、さらに、第２情報Ｔ２１に含まれる、実施年月日、機器ＩＤ、冷媒種別、及び、冷媒既充填量が示されている。図９には、第２情報Ｔ２２として、総冷媒追加充填量が示されている。冷媒総追加充填量は、据付作業時に追加充填された冷媒量と、メンテナンス作業時に追加充填された冷媒量との総量である。総冷媒追加充填量は、メンテナンス情報として入力された機器ＩＤに対して過去になされた作業履歴をイベント情報ＤＢ５から取得して、過去の作業時に追加充填された冷媒量に基づいて算出される。
【００８７】
本実施形態のように据付業者とメンテナンス業者とが同一業者の場合、管理サーバ２０へのログイン時に管理サーバ２０が同一業者であることを認識し、実施した業務の種類としてメンテナンス業務をメンテナンス業者が選択した際に、管理サーバ２０がメンテナンス対象機器又は物件をメンテナンス業者に選択させるようにしてもよい。その場合、機器ＩＤ及び物件ＩＤは、管理サーバ２０がイベント情報ＤＢ５から自ら取得することができるため、メンテナンス業者は冷媒追加充填量の入力のみ行えばよいこともある。なお、メンテナンス業者Ｃ１は、メンテナンス内容を管理サーバに登録してもよい。メンテナンス内容とは、メンテナンス業者Ｃ１が実施した、冷媒使用機器３０の保守管理作業の具体的な内容である。メンテナンス内容は、例えば、冷媒使用機器３０から冷媒が漏れ出たことが発覚した場合に冷媒が漏れている箇所を修復する作業、冷媒使用機器３０に充填されている冷媒の量が不足していることが発覚した場合に冷媒を補充する作業、及び、冷媒使用機器３０に充填されている冷媒の少なくとも一部を交換する作業である。
【００８８】
（２−５−３）回収業者の入力によって管理サーバが取得する第１情報
図１０は、回収業者Ｃ１の入力によって管理サーバ２０が取得する第１情報Ｔ３１を説明するための図である。回収業者Ｃ１は、回収作業完了時に管理サーバ２０に冷媒回収情報の入力を行う。第１業者Ｃ１は、ログイン処理を行った後に、実施する業務の種類として回収業務を選択し、回収業者Ｃ１として、管理サーバ２０に機器ＩＤと、機器保有者ＩＤと、物件ＩＤと、冷媒回収量とを入力する。入力された各データは、それぞれ記憶部２２のイベント情報データベースＤＢ５に保存される。回収業者Ｃ１は、ボンベ製造業者Ｃ８から回収用ボンベ５０を受け取る。回収用ボンベ５０とは、回収業者Ｃ１が冷媒使用機器３０から回収した冷媒を充填するための容器である。回収業者Ｃ１がボンベ製造業者Ｃ８から回収用ボンベ５０を受け取った時点において、回収用ボンベ５０には冷媒が充填されていない。
【００８９】
回収業者Ｃ１の入力によって管理サーバ２０が取得する第１情報Ｔ３１は、機器特定情報と、業者情報と、冷媒回収量情報とを少なくとも有する。冷媒回収量情報とは、回収する冷媒使用機器３０に充填された冷媒の量と、冷媒使用機器３０が接続された冷媒配管から回収された冷媒の量との総量である冷媒回収量を含む情報である。回収された冷媒は、回収用ボンベ５０に充填され、冷媒が充填された回収用ボンベ５０と冷媒使用機器３０とは、再生業者Ｃ４又は冷媒廃棄業者Ｃ９に引き渡される。
【００９０】
管理サーバ２０は、回収業者Ｃ１が回収情報管理サーバ２０に入力した後に冷媒回収情報の登録を決定すると、冷媒回収情報を登録した日付を実施年月日として取得する。
【００９１】
管理サーバ２０は、据付作業時又はメンテナンス作業時に作成した第２情報Ｔ１１、Ｔ１２、Ｔ２１、Ｔ２２と、回収作業時に回収業者Ｃ１が入力した回収情報から冷媒回収量等の情報を取得し、図１０に示されるように、第１情報Ｔ３１を生成し冷媒管理データベースＤＢ６に保存する。
【００９２】
本実施形態のように、据付業者とメンテナンス業者と回収業者とが同一業者の場合、管理サーバ２０へのログイン時に管理サーバ２０が同一業者であることを認識し、実施した業務の種類として回収業務を回収業者が選択した際に、管理サーバ２０が回収対象機器又は物件を回収業者に選択させるようにしてもよい。その場合、機器ＩＤ及び物件ＩＤは、管理サーバ２０がイベント情報ＤＢ５から自ら取得することができるため、回収業者は冷媒回収量の入力のみ行えばよいこともある。
【００９３】
（２−５−４）再生業者の入力によって管理サーバが取得する第１情報
図１１は、再生業者Ｃ４の入力によって管理サーバ２０が取得する第１情報Ｔ４１を説明するための図である。再生業者Ｃ４は、再生作業完了時に管理サーバ２０に再生情報の入力を行う。再生業者Ｃ４は、回収業者Ｃ１から冷媒使用機器３０又は回収用ボンベ５０を受け取る。再生業者Ｃ４は、冷媒使用機器３０又は回収用ボンベ５０から、回収業者Ｃ１によって回収された冷媒を全て取り出して、取り出された冷媒の再生処理を行った後、冷媒用容器６０に再生された冷媒を充填する。冷媒用容器６０とは、再生された冷媒が充填される専用の容器である。冷媒用容器６０は、例えば、大型のボンベ、又は、タンクローリーである。再生業者Ｃ４は、再生された冷媒が充填された冷媒用容器６０を、分配業者Ｃ５に引き渡す。
【００９４】
図１１に示されるように、再生業者Ｃ４の入力によって管理サーバ２０が取得する第１情報Ｔ４１は、少なくとも、冷媒回収情報と、冷媒再生情報とを有する。冷媒回収情報とは、再生業者Ｃ４によって再生される前の冷媒に関する情報である。冷媒再生情報とは、再生業者Ｃ４によって再生された後の冷媒に関する情報である。
【００９５】
冷媒回収情報は、回収業者Ｃ１の業者ＩＤである実施者ＩＤと、冷媒種別と、再生前冷媒量とを少なくとも有する。冷媒種別は、回収用ボンベ５０又は冷媒使用機器３０に充填されていた冷媒の種別である。冷媒回収量は、回収業者Ｃ１によって回収された冷媒の量である。冷媒回収情報は、回収業者Ｃ１ごと、及び、冷媒種別ごとのデータを有する。なお、回収された冷媒使用機器３０に充填されている冷媒量については正確でない可能性があるため、再生業者Ｃ４が冷媒使用機器３０から実際に回収した冷媒の量を再生前冷媒量とする。
【００９６】
冷媒再生情報は、再生業者Ｃ４の業者ＩＤである実施者ＩＤと、冷媒種別と、冷媒再生量と、実施年月日とを少なくとも有する。冷媒種別は、再生業者Ｃ４によって再生された冷媒の種別である。冷媒再生量は、再生業者Ｃ４によって再生された冷媒の量である。冷媒再生情報は、冷媒種別ごとのデータを有する。冷媒再生量は、再生前冷媒量より少ない。例えば、冷媒再生量は、再生前冷媒量の約９０％である。
【００９７】
管理サーバ２０は、再生業者Ｃ４が冷媒再生情報を管理サーバ２０に入力した後に冷媒再生情報の登録を決定すると、冷媒再生情報を登録した日付を実施年月日として取得する。
【００９８】
本実施形態のように回収業者と再生業者とが異なる場合に、再生業者Ｃ４が管理サーバ２０へログインした後、管理サーバ２０は、機器ＩＤ、ボンベＩＤ及び物件ＩＤ等を再生業者Ｃ４に第２情報として提供してもよい。管理サーバ２０は、再生業者Ｃ４に提供した第２情報と、再生作業時に入力された冷媒再生量等の情報を取得し、図１１に示されるように、第１情報Ｔ４１を生成して冷媒管理データベースＤＢ６に保存する。
【００９９】
（２−５−５）分配業者の入力によって管理サーバが取得する第１情報
図１２は、分配業者Ｃ５の入力によって管理サーバ２０が取得する第１情報Ｔ５１を説明するための図である。分配業者Ｃ５は、分配作業完了時に管理サーバ２０に分配情報の入力を行う。分配業者Ｃ５は、冷媒製造業者Ｃ７又は再生業者Ｃ４から冷媒用容器６０を受け取る。分配業者Ｃ５が受け取る冷媒用容器６０には、冷媒製造業者Ｃ７が製造した冷媒、又は、再生業者Ｃ４が再生した冷媒が充填されている。分配業者Ｃ５は、冷媒用容器６０に充填された冷媒を、冷媒ボンベ４０又は再生用ボンベ７０に充填する。分配業者Ｃ５は、必要に応じて、第１業者Ｃ１（据付業者Ｃ１又はメンテナンス業者Ｃ１）に、冷媒が充填された冷媒ボンベ４０又は再生用ボンベ７０を分配する。
【０１００】
図１２に示されるように、分配業者Ｃ５の入力によって管理サーバ２０が取得する第１情報Ｔ５１は、少なくとも、冷媒出荷情報と、冷媒分配情報とを有する。冷媒出荷情報とは、分配業者Ｃ５が冷媒ボンベ４０又は再生用ボンベ７０に充填して出荷した冷媒に関する情報である。冷媒分配情報とは、分配業者Ｃ５が第１業者Ｃ１に分配した冷媒に関する情報である。
【０１０１】
冷媒出荷情報は、分配業者Ｃ５の業者ＩＤである実施者ＩＤと、冷媒種別と、冷媒出荷量とを少なくとも有する。冷媒種別は、分配業者Ｃ５によって出荷された冷媒の種別である。冷媒出荷量は、分配業者Ｃ５によって出荷された冷媒の量である。冷媒出荷情報は、冷媒種別ごとのデータを有する。
【０１０２】
冷媒分配情報は、分配業者Ｃ５の業者ＩＤである実施者ＩＤと、分配先ＩＤと、冷媒種別と、冷媒分配量と、実施年月日とを少なくとも有する。分配先ＩＤは、冷媒が分配された第１業者Ｃ１の業者ＩＤである。冷媒種別は、分配業者Ｃ５によって分配された冷媒の種別である。冷媒分配量は、分配業者Ｃ５によって分配された冷媒の量である。冷媒分配情報は、分配先ＩＤごと、及び、冷媒種別ごとのデータを有する。管理サーバ２０は、分配業者Ｃ５が冷媒分配情報を管理サーバ２０に入力した後に冷媒分配情報の登録を決定すると、冷媒分配情報を登録した日付を実施年月日として取得する。
【０１０３】
管理サーバ２０は、分配業者Ｃ５が入力した情報と、管理サーバ２０が登録した実施年月日等の情報を取得し、図１２に示されるように、第１情報Ｔ５１を生成して冷媒管理データベースＤＢ６に保存する。
【０１０４】
（２−６）管理者のみが閲覧権限を有する第２情報
管理サーバ２０は、冷媒管理情報データベースＤＢ６に保存された第１情報及び第２情報に基づいて、各業者が取り扱う冷媒量に関する第２情報Ｔ９２を生成する。管理サーバ２０は、生成した第２情報Ｔ９２を、記憶部２２の冷媒管理情報データベースＤＢ６に登録する。業者は、入力端末１０ａ，１０ｂ，・・・を用いて、管理サーバ２０に記憶されている第２情報Ｔ９２を確認することができる。業者が確認することができる第２情報は、業者が閲覧権限を有する第２情報であり、例えば、業者が管理サーバ２０に入力したデータに基づいて管理サーバ２０が取得した第１情報から生成された第２情報Ｔ１１、Ｔ１２、Ｔ２１、Ｔ２２、・・・である。管理者Ｓは、管理者用端末８０を用いて、管理サーバ２０に記憶されている全ての第２情報を確認することができる。管理サーバ２０は、図８，９に示される第２情報の他に、取得した第１情報に基づいて、管理者Ｓのみが閲覧権限を有する第２情報Ｔ９２を生成する。
【０１０５】
図１３は、管理者Ｓのみが閲覧権限を有する各業者が取り扱う冷媒量に関する第２情報Ｔ９２の一例を説明するための図である。図１３に示される第２情報Ｔ９２は、冷媒管理システム１００全体において、業者に関する情報と、当該業者の業務対象となる冷媒使用機器３０に使用されている冷媒に関する情報とを関連付けた情報である。
【０１０６】
第２情報Ｔ９２に含まれる「業者に関する情報」とは、図１３に示される「業者ＩＤ」に相当する。これは、第１業者Ｃ１等の業者のＩＤである。「業者ＩＤ」は、具体的には、図８〜１２に示される実施者ＩＤである。図１３において、「ＣＡ００６」及び「ＣＡ０１５」は、据付業務とメンテナンス業務と回収業務とを行う第１業者Ｃ１の業者ＩＤである。「ＧＡ０１９」は、再生業者Ｃ４の業者ＩＤである。「ＨＡ０１９」は、分配業者Ｃ５の業者ＩＤである。
【０１０７】
第２情報Ｔ９２には「冷媒使用機器３０に使用されている冷媒に関する情報」として、図１３に示されるように、冷媒種別、冷媒保有量、冷媒使用量、冷媒回収予定量、冷媒回収量、冷媒再生量、冷媒廃却量、冷媒分配予定量及び冷媒分配量が含まれている。冷媒種別は、冷媒循環サイクルで流通している冷媒の種類を表す名称である。冷媒種別以外の情報は、冷媒循環サイクルで流通している冷媒の量に関する。
【０１０８】
冷媒保有量は、業者が保有している冷媒の総量である。
【０１０９】
冷媒使用量は、冷媒保有量のうち、業者が冷媒使用機器３０に使用している冷媒の総量である。業者が冷媒使用機器３０に使用している冷媒とは、冷媒使用機器３０、及び、冷媒使用機器３０に接続される冷媒配管に充填されている冷媒である。業者が据付業者Ｃ１又はメンテナンス業者Ｃ１である場合、冷媒使用量は、業務対象となる全ての冷媒使用機器３０、及び、冷媒使用機器３０に接続される冷媒配管に充填されている冷媒の総量である。冷媒使用量は、冷媒保有量から、業者が冷媒ボンベ４０及び再生用ボンベ７０内に保有している冷媒量を引いた値である。冷媒使用量は、例えば、図８，９に示される第２情報Ｔ１１、Ｔ１２、Ｔ２１、Ｔ２２、・・・に含まれる「冷媒使用量」に基づいて算出される。
【０１１０】
冷媒回収予定量は、据付業者Ｃ１又はメンテナンス業者Ｃ１の冷媒使用量のうち、回収業者Ｃ１によって所定期間内に冷媒使用機器３０から回収される見込みがある冷媒の総量である。取得部２１は、第１情報に基づいて冷媒回収予定量を取得する。冷媒回収予定量は、例えば、据付時又は使用開始時から所定の期間が経過した冷媒使用機器３０に充填されている冷媒の総量である。所定の期間は、使用されている冷媒の種類、及び、冷媒使用機器３０の機種等に基づいて設定される。例えば、据付業務の実施日から１５年が経過した冷媒使用機器３０、及び、当該冷媒使用機器３０に接続されている冷媒配管に充填されている冷媒が、回収予定の冷媒として取り扱われる。
【０１１１】
具体的には、取得部２１は、第１情報に含まれる第３情報に基づいて冷媒回収予定量を取得する。第３情報は、実施年月日に関する情報である。ここで、実施年月日とは、作業日又は作業月である。作業日とは、据付情報及びメンテナンス情報の少なくとも一方が登録された日である。作業月とは、据付情報及びメンテナンス情報の少なくとも一方が登録された月である。
【０１１２】
冷媒回収量は、回収業者Ｃ１によって冷媒使用機器３０から回収された冷媒の総量である。冷媒回収量は、例えば、図１１に示される第１情報Ｔ４１に含まれる「再生前冷媒量」及び、図１０に示される第１情報Ｔ３１に含まれる冷媒回収量に基づいて算出される。
【０１１３】
本実施形態では、据付業者Ｃ１、メンテナンス業者Ｃ１及び回収業者Ｃ１は、同一の第１業者Ｃ１である。そのため、業者が第１業者Ｃ１である場合、第２情報Ｔ９２は、冷媒の量に関する情報として、冷媒使用量及び冷媒回収予定量の他に冷媒回収量も含む。
【０１１４】
冷媒再生量は、再生業者Ｃ４によって再生された冷媒の総量である。冷媒再生量は、例えば、図１１に示される第１情報Ｔ４１に含まれる「冷媒再生量」に基づいて算出される。
【０１１５】
冷媒廃却量は、再生業者Ｃ４によって再生されずに廃却された冷媒の総量である。
【０１１６】
冷媒分配予定量は、分配業者Ｃ５から分配される予定の冷媒の総量である。冷媒分配予定量は、例えば、据付業者Ｃ１及びメンテナンス業者Ｃ１から分配業者Ｃ５に、冷媒の分配に関する申請があった場合に、その申請の内容に基づいて算出される。申請の内容とは、例えば、過去に分配された冷媒の量、冷媒の最近の分配年月日、及び、冷媒の分配を申請する理由である。
【０１１７】
冷媒分配量は、分配業者Ｃ５から据付業者Ｃ１又はメンテナンス業者Ｃ１に分配された冷媒の総量である。冷媒分配量は、例えば、図１２に示される第１情報Ｔ５１に含まれる「冷媒分配量」に基づいて算出される。
【０１１８】
第２情報Ｔ９２に含まれている冷媒の量は、冷媒使用機器３０ごとの量であってもよい。この場合、第２情報Ｔ９２は、冷媒使用機器３０の機器ＩＤと、当該冷媒使用機器３０に使用されている冷媒使用量とを関連付けた情報であってもよい。
【０１１９】
このように、第２情報Ｔ９２は、冷媒使用機器３０に関する業務を行う業者に関する情報と、当該業者の業務対象である冷媒使用機器３０に使用されている冷媒の量とを関連付けた情報、かつ、冷媒使用機器３０に関する情報と、当該冷媒使用機器３０に使用されている冷媒の量とを関連付けた情報である。
【０１２０】
（３）効果
冷媒管理システム１００では、管理サーバ２０は、冷媒循環サイクルで流通している冷媒を一元的に把握して、冷媒に関する情報を各業者に提供することができる。具体的には、管理サーバ２０は、業者が入力した情報から取得した第１情報に基づいて、冷媒使用機器３０に使用されている冷媒の量と業者の情報とを関連付けた第２情報を生成して各業者に提供することができる。そのため、管理サーバ２０を備える冷媒管理システム１００は、冷媒循環サイクルの各段階において、市場に流通している冷媒の量を管理することができる。
【０１２１】
特に、冷媒管理システム１００では、管理サーバ２０は、据付業者Ｃ１による据付段階、及び、メンテナンス業者Ｃ１によるメンテナンス段階においても第１情報を取得することができる。据付段階及びメンテナンス段階は、回収業者Ｃ１によって冷媒が回収される回収段階よりも前の段階である。言い換えると、管理サーバ２０は、回収済みの冷媒に関する情報だけではなく、回収される前の冷媒に関する情報も取得することができる。そのため、冷媒管理システム１００は、回収業者Ｃ１によって回収される前の冷媒、例えば、冷媒使用機器３０に充填され使用されている冷媒の量まで管理することができる。これにより、冷媒管理システム１００の管理者Ｓは、将来的な冷媒の回収量を予測して、冷媒の生産及び分配等に関する冷媒管理の長期的な計画を立てやすくなる。さらに、管理者Ｓは、冷媒管理の長期的な計画に基づいて、例えば、冷媒製造業者Ｃ７が生産可能な冷媒の量の範囲内において、据付業者Ｃ１及びメンテナンス業者Ｃ１に供給する冷媒の量の管理をスムーズに行うことができる。
【０１２２】
（４）特徴
（４−１）
従来、冷媒使用機器に使用される冷媒に関して、回収業者に引き渡された又は引き渡される予定の冷媒に関する情報に基づいて、冷媒の量を把握又は管理することができるシステムが知られている。しかし、このようなシステムでは、図１に示される冷媒循環サイクルの各段階において、市場に流通している冷媒の量まで把握又は管理することが難しく、特に、回収業者に引き渡される前の冷媒の量を把握又は管理することが難しい。
【０１２３】
本実施形態の冷媒管理システム１００では、管理サーバ２０の取得部２１は、冷媒使用機器３０の据付時、及び、冷媒使用機器３０のメンテナンス時の少なくとも１つの時点において、第１情報を取得する。第１情報は、機器特定情報と、業者情報と、冷媒追加充填量情報とを少なくとも有する。取得部２１は、第１情報の機器特定情報に基づいて冷媒既充填量を取得し、冷媒既充填量と、第１情報の冷媒追加充填量情報に含まれる冷媒追加充填量とを合計することで冷媒使用量を取得する。管理サーバ２０の生成部２３は、冷媒使用量と、第１情報の業者情報とを用いて、冷媒使用量と業者とを関連づけた第２情報を生成する。
【０１２４】
このように、取得部２１は、冷媒使用機器３０に使用される冷媒の回収時よりも前の時点において、言い換えると、図１に示される冷媒循環サイクルの据付段階又はメンテナンス段階において、第２情報を生成するために必要な第１情報を取得することができる。従って、冷媒管理システム１００は、回収業者に回収される前の冷媒に関する情報を取得して、各冷媒使用機器３０に充填され使用されている冷媒の量を業者と関連付けて管理することができる。
【０１２５】
また、取得部２１は、冷媒循環サイクルで流通している冷媒に関する第１情報を、冷媒循環サイクルの各段階において収集することができる。冷媒循環サイクルの各段階とは、図１に示されるように、生産段階、分配段階、据付段階、メンテナンス段階、回収段階、再生段階、及び、廃却段階である。生成部２３は、冷媒循環サイクルの各段階において収集した第１情報に基づいて第２情報を生成することができる。
【０１２６】
従って、冷媒管理システム１００は、冷媒使用機器３０に使用される冷媒を取り扱う業者から収集した第１情報に基づいて第２情報を生成することで、市場に流通している冷媒の量を管理することができる。これにより、例えば、冷媒管理システム１００の管理者Ｓは、管理者用端末８０を用いて管理サーバに記憶されている第２情報を参照することで、市場に流通している冷媒の量に関する情報を把握することができ、これにより、冷媒の適切な生産量を取得することができる。
【０１２７】
（４−２）
本実施形態の冷媒管理システム１００では、管理サーバ２０の記憶部２２は、機器特定情報と関連づけて冷媒既充填量を記憶しているので、取得部２１は、取得した第１情報の機器特定情報に基づいて、記憶している冷媒既充填量を取得することができる。そのため、冷媒管理システム１００は、第１情報のみに基づいて冷媒使用量を取得することができる。
【０１２８】
（４−３）
本実施形態の冷媒管理システム１００では、取得部２１は、取得した第１情報の機器特定情報に基づいて冷媒使用機器３０の能力に関する能力情報を取得し、取得した能力情報に基づいて冷媒既充填量を取得することができる。そのため、冷媒管理システム１００は、冷媒使用機器３０の冷媒既充填量が管理サーバ２０に登録されていない場合でも、管理サーバ２０に予め登録されている能力情報に基づいて冷媒既充填量の予測値を取得することができる。
【０１２９】
（４−４）
本実施形態の冷媒管理システム１００では、取得部２１は、冷媒使用機器３０の能力に関する能力情報を含む入力データを取得し、入力データに含まれる能力情報に基づいて冷媒既充填量を取得することができる。そのため、冷媒管理システム１００は、冷媒使用機器３０の冷媒既充填量が管理サーバ２０に登録されていない場合でも、業者によって管理サーバ２０に入力された能力情報に基づいて冷媒既充填量の予測値を取得することができる。
【０１３０】
（４−５）
本実施形態の冷媒管理システム１００では、図７のステップＳ１２〜Ｓ１５に示されるように、取得部２１は、機器特定情報又は能力情報に基づいて冷媒既充填量を取得することができる。具体的には、取得部２１は、機器特定情報と関連づけて冷媒既充填量を記憶している場合には、取得した第１情報の機器特定情報に基づいて冷媒既充填量を取得し、機器特定情報と関連づけて冷媒既充填量を記憶していない場合には、取得した第１情報の機器特定情報に基づいて取得した能力情報に基づいて冷媒既充填量の予測値を取得する。そのため、冷媒管理システム１００は、管理サーバ２０に登録されている情報に応じて、冷媒既充填量として用いることができる適切な値を取得することができる。
【０１３１】
（４−６）
本実施形態の冷媒管理システム１００では、取得部２１は、業者が業務対象としている複数の冷媒使用機器３０の冷媒使用量の総量を取得して、生成部２３は、冷媒使用量の総量と業者とを関連づけた情報を第２情報としてさらに生成することができる。そのため、冷媒管理システム１００は、各業者が業務対象としている全ての冷媒使用機器３０に充填され使用されている冷媒の量を業者と関連付けて管理することができる。
【０１３２】
（４−７）
本実施形態の冷媒管理システム１００では、取得部２１は、所定期間内に冷媒使用機器３０から回収される予定の冷媒の量である冷媒回収予定量を取得し、生成部２３は、冷媒回収予定量と業者とを関連づけた情報を第２情報としてさらに生成することができる。そのため、冷媒管理システム１００は、据付業者及びメンテナンス業者が業務対象としている冷媒使用機器３０から回収される見込みがある冷媒の量を管理することができる。
【０１３３】
（４−８）
本実施形態の冷媒管理システム１００では、取得部２１は、据付情報及びメンテナンス情報の少なくとも一方が登録された作業日又は作業月を含む第３情報に基づいて冷媒回収予定量を取得する。例えば、取得部２１は、第３情報に含まれる作業日又は作業月から所定期間が経過した冷媒使用機器３０に使用されている冷媒の量に基づいて冷媒回収予定量を取得する。そのため、冷媒管理システム１００は、所定期間内に冷媒使用機器３０から回収される冷媒の量の適切な予測値として冷媒回収予定量を用いることができる。
【０１３４】
（４−９）
冷媒管理システム１００では、取得部２１は、冷媒使用機器３０に関する業務を行う業者が入力したデータに基づいて第１情報を取得する。業者とは、具体的には、図１に示されるように、第１業者Ｃ１、再生業者Ｃ４及び分配業者Ｃ５である。これらの業者は、所定のデータを管理サーバ２０に入力するための入力端末１０ａ，１０ｂ，・・・を所有している。そのため、業者は、冷媒使用機器３０に使用される冷媒に関する業務を行う現場において、業務の実行中、又は、業務の完了直後に、入力端末１０ａ，１０ｂ，・・・を用いて所定のデータを管理サーバ２０に入力することができる。
【０１３５】
（４−１０）
冷媒管理システム１００では、取得部２１が第１情報を取得するために、業者は、業務に関する情報を全て管理サーバ２０に入力する必要がないので、入力端末１０ａ，１０ｂ，・・・の操作に必要な時間を短縮でき、入力ミスを抑制することができる。
【０１３６】
（５）変形例
（５−１）変形例Ａ
図１に示される再生段階では、冷媒の再生業者によって、回収業者によって回収された冷媒の再生処理が行われる。しかし、回収された冷媒が再生できない場合には、回収業者又は再生業者によって、回収された冷媒の少なくとも一部が廃却されてもよい。回収業者又は再生業者以外の専門の業者によって、回収された冷媒の少なくとも一部が廃却されてもよい。回収された冷媒が再生できない場合とは、例えば、汚染及び変質等により冷媒が物理的又は化学的に再生できない場合、又は、冷媒の再生処理にかかるコストが大きく再利用の目的で冷媒を再生することが現実的ではない場合である。
【０１３７】
この場合、冷媒を廃却する業務を行う廃却業者Ｃ９は、所定の情報を管理サーバ２０に入力してもよい。所定の情報とは、業務対象である冷媒使用機器３０の機器ＩＤ等である。図１４は、廃却業者Ｃ９の入力によって取得部２１が取得する第１情報Ｔ６１を説明するための図である。廃却業者Ｃ９は、回収業者Ｃ１及び再生業者Ｃ４とは異なる業者であるとする。
【０１３８】
廃却業者Ｃ９は、例えば、回収業者Ｃ１から回収用ボンベ５０を受け取る。回収業者Ｃ１から受け取った回収用ボンベ５０には、再生することができないために廃却される予定の冷媒が充填されている。この場合、回収業者Ｃ１は、冷媒使用機器３０から回収した冷媒が充填された回収用ボンベ５０を、再生業者Ｃ４に引き渡すための回収用ボンベ５０と、廃却業者Ｃ９に引き渡すための回収用ボンベ５０とに予め分類しておく。
【０１３９】
図１４に示されるように、廃却業者Ｃ９の入力によって取得部２１が取得する第１情報Ｔ６１は、少なくとも、冷媒回収情報と、冷媒廃却情報とを有する。冷媒回収情報とは、廃却業者Ｃ９によって廃却される前の冷媒に関する情報である。冷媒廃却情報とは、廃却業者Ｃ９によって廃却された後の冷媒に関する情報である。
【０１４０】
冷媒回収情報は、回収業者Ｃ１の業者ＩＤである実施者ＩＤと、冷媒種別と、冷媒回収量とを少なくとも有する。冷媒種別は、回収業者Ｃ１によって回収された冷媒の種別である。冷媒回収量は、回収業者Ｃ１によって回収された冷媒の量である。冷媒回収情報は、回収業者Ｃ１ごと、及び、冷媒種別ごとのデータを有する。
【０１４１】
冷媒廃却情報は、廃却業者Ｃ９の業者ＩＤである実施者ＩＤと、冷媒種別と、冷媒廃却量と、実施年月日とを少なくとも有する。
【０１４２】
（５−２）変形例Ｂ
実施形態では、据付業者、メンテナンス業者及び回収業者は、同一の第１業者Ｃ１である。しかし、据付業者、メンテナンス業者及び回収業者は、互いに異なる業者であってもよい。その場合、それぞれの業者に業務に関する全ての情報を入力させるようにしてもよく、上記の実施例と同様に管理サーバ２０のデータベースに既に登録されている情報をそれぞれの業者に提供することで入力を簡素化してもよい。
【０１４３】
図１５は、本変形例における、管理者Ｓのみが閲覧権限を有する第２情報を説明するための図である。図１５において、「ＣＡ００６」は、据付業者の業者ＩＤであり、「ＤＡ００９」は、メンテナンス業者の業者ＩＤであり、「ＦＡ０１２」は、回収業者の業者ＩＤであり、「ＧＡ０１９」は、再生業者の業者ＩＤであり、「ＨＡ０１９」は、分配業者の業者ＩＤである。
【０１４４】
本変形例では、据付業者及びメンテナンス業者は、冷媒使用機器３０から冷媒を回収する業務を行わない。そのため、図１５に示されるように、据付業者又はメンテナンス業者に関する情報は、冷媒使用量及び冷媒回収予定量を含み、冷媒回収量を含まない。回収業者に関する情報は、冷媒回収量のみを含む。
【０１４５】
また、機器製造業者、冷媒製造業者、分配業者、据付業者、メンテナンス業者、回収業者、再生業者及び廃却業者のいずれかの業者が、同一の業者であってもよく、又は、それぞれが異なる業者であってもよい。例えば、機器製造業者と冷媒製造業者と分配業者と据付業者とが同一業者であってもよく、据付業者と回収業者と再生業者と廃却業者とが同一業者であってもよい。言い換えると、上記のどの業者が同一の業者であるかは特に限定されない。
【０１４６】
（５−３）変形例Ｃ
冷媒管理システム１００では、生成部２３によって生成され、管理者Ｓのみが閲覧権限を有する第２情報は、図１３に示されるように、冷媒使用機器３０に関する業務を行う業者に関する情報と、業者の業務対象となる冷媒使用機器３０に使用されている冷媒とを関連付けた情報である。
【０１４７】
しかし、管理者Ｓのみが閲覧権限を有する第２情報は、冷媒使用機器３０に関する情報と、冷媒使用機器３０に使用されている冷媒とを関連付けた情報であってもよい。この場合、管理者Ｓのみが閲覧権限を有する第２情報は、図１６に示されるように、冷媒使用機器３０に関する情報の一例として冷媒使用機器３０が設置されている物件の物件ＩＤと、その物件に設置されている冷媒使用機器３０の冷媒の量に関する情報とが関連付けられている情報でもよい。図１６では、冷媒使用機器３０の冷媒の量に関する情報として、冷媒種別と、冷媒量とが示されている。ここで、冷媒量とは、例えば、対応する物件に設置されている冷媒使用機器３０、及び、当該冷媒使用機器３０に接続された冷媒配管に充填されている冷媒の量である。
【０１４８】
また、管理者Ｓのみが閲覧権限を有する第２情報は、図１７に示されるように、冷媒使用機器３０に関する情報の一例として冷媒使用機器３０の保有者の機器保有者ＩＤと、その保有者が保有する冷媒使用機器３０の冷媒の量に関する情報とが関連付けられている情報でもよい。図１７では、冷媒使用機器３０の冷媒の量に関する情報として、冷媒種別と、冷媒量とが示されている。
【０１４９】
冷媒使用機器３０に関する情報は、上記に限定されることなく、例えば、機器ＩＤ、機器製造業者ＩＤ、機器保有者ＩＤ及び機器設置場所情報の少なくとも１つであってよい。
【０１５０】
管理者Ｓのみが閲覧権限を有する第２情報は、冷媒使用機器３０に関する業務を行う業者に関する情報と、業者の業務対象となる冷媒使用機器３０に使用されている冷媒とを関連付けた情報、及び、冷媒使用機器３０に関する情報と、冷媒使用機器３０に使用されている冷媒とを関連付けた情報の両方を含んでもよい。
【０１５１】
（５−４）変形例Ｄ
冷媒管理システム１００では、管理サーバ２０は、冷媒管理システム１００の管理者Ｓによって管理される。ここで、管理者Ｓは、入力端末１０ａ，１０ｂ，・・・を使用する業者と同じであってもよい。例えば、実施形態において、管理者Ｓは、第１業者Ｃ１に所属していてもよい。
【０１５２】
（５−５）変形例Ｅ
実施形態では、管理サーバ２０の取得部２１は、冷媒使用機器３０の機器ＩＤを用いて機器情報データベースＤＢ１にアクセスすることで、当該冷媒使用機器３０の冷媒既充填量を取得することができ、冷媒既充填量が機器情報データベースＤＢ１に登録されていない場合は、能力情報から予測して冷媒使用機器３０の冷媒既充填量を取得する。
【０１５３】
本変形例では、ステップＳ１６において冷媒使用機器３０の冷媒既充填量が入力される場合において、業者が入力端末１０ａ，１０ｂ，・・・を操作して冷媒既充填量を管理サーバ２０に直接入力してもよい。また、業者が入力端末１０ａ，１０ｂ，・・・を操作して、冷媒既充填量に関する複数の選択肢から適切な冷媒既充填量を選択してもよい。
【０１５４】
また、取得部２１は、冷媒使用機器３０の機種名又は機器ＩＤから冷媒使用機器３０の能力を推定し、推定した能力から冷媒既充填量を取得してもよい。また、取得部２１は、冷媒使用機器３０の能力情報を業者に入力させるように促し、入力された能力情報から冷媒既充填量を取得してもよい。
【０１５５】
（５−６）変形例Ｆ
実施形態では、業者が管理サーバ２０にログインした後、業者は管理サーバ２０に業務に関する情報を直接入力している。しかし、業者が自身の端末等に入力した情報が、管理サーバ２０に送信されることで管理サーバ２０に情報が入力されてもよい。
【０１５６】
（５−７）変形例Ｇ
実施形態では、据付業者が据付情報を入力した後に、メンテナンス業者及び回収業者がそれぞれメンテナンス情報及び回収情報を入力するが、据付情報が存在しない冷媒使用機器又は物件のメンテナンス情報をメンテナンス業者が管理サーバ２０に登録してもよい。
【０１５７】
（５−８）変形例Ｈ
実施形態では、実施年月日は、作業日又は作業月である。実施形態では、作業日又は作業月は、据付情報及びメンテナンス情報の少なくとも一方が登録された日又は月である。しかし、作業日は、据付業者Ｃ１が実際の据付作業を行った日、及び、メンテナンス業者Ｃ１が実際のメンテナンス作業を行った日の少なくとも一方であってもよく、作業月は、据付業者Ｃ１が実際の据付作業を行った月、及び、メンテナンス業者Ｃ１が実際のメンテナンス作業を行った月の少なくとも一方であってもよい。この場合、管理サーバ２０は、据付業者Ｃ１及びメンテナンス業者Ｃ１に作業日又は作業月を入力させてもよい。
【０１５８】
（６）むすび
以上、本開示の実施形態を説明したが、特許請求の範囲に記載された本開示の趣旨及び範囲から逸脱することなく、形態や詳細の多様な変更が可能なことが理解されるであろう。
【産業上の利用可能性】
【０１５９】
冷媒管理システムは、冷媒使用機器に使用されている冷媒の量を管理するために利用可能である。
【符号の説明】
【０１６０】
２０    管理サーバ（コンピュータ）
２１    取得部
２２    記憶部
２３    生成部
３０    冷媒使用機器
１００    冷媒管理システム
【先行技術文献】
【特許文献】
【０１６１】
【特許文献１】特開２０１５−１２５６７２号公報
【図１】
2020177516.tif 000003
【図２】
2020177516.tif 000004
【図３】
2020177516.tif 000005
【図４】
2020177516.tif 000006
【図５】
2020177516.tif 000007
【図６】
2020177516.tif 000008
【図７】
2020177516.tif 000009
【図８】
2020177516.tif 000010
【図９】
2020177516.tif 000011
【図１０】
2020177516.tif 000012
【図１１】
2020177516.tif 000013
【図１２】
2020177516.tif 000014
【図１３】
2020177516.tif 000015
【図１４】
2020177516.tif 000016
【図１５】
2020177516.tif 000017
【図１６】
2020177516.tif 000018
【図１７】
2020177516.tif 000019
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
一又は複数のコンピュータ（２０）を備え、前記一又は複数のコンピュータは、取得部（２１）と記憶部（２２）と生成部（２３）とを有し、
前記取得部は、
冷媒使用機器（３０）の据付時及びメンテナンス時の少なくとも一方において、前記冷媒使用機器を特定するための機器特定情報と、前記冷媒使用機器に関する業務を行う業者に関する業者情報と、前記冷媒使用機器に追加で充填された冷媒の量である冷媒追加充填量を含む冷媒追加充填量情報とを有する第１情報を取得し、
取得した前記第１情報の前記機器特定情報に基づいて前記冷媒使用機器に予め充填されている冷媒の量である冷媒既充填量を取得し、
取得した前記冷媒既充填量と、取得した前記第１情報の前記冷媒追加充填量情報に含まれる前記冷媒追加充填量とを合計することで前記冷媒使用機器に使用されている冷媒の量である冷媒使用量を取得し、
前記記憶部は、前記機器特定情報と関連づけて前記冷媒既充填量を記憶し、
前記生成部は、前記取得部が取得した前記冷媒使用量と、前記取得部が取得した前記第１情報の前記業者情報とを用いて、前記冷媒使用量と前記業者とを関連づけた第２情報を生成し、
前記取得部は、取得した前記第１情報の前記機器特定情報に基づいて、前記記憶部が記憶している前記冷媒既充填量を取得する、
冷媒管理システム（１００）。
【請求項２】
前記記憶部は、さらに、前記機器特定情報と関連づけて、前記冷媒使用機器の能力に関する能力情報を記憶し、
前記取得部は、
取得した前記第１情報の前記機器特定情報に基づいて前記能力情報を取得し、
取得した前記能力情報に基づいて前記冷媒既充填量を取得する、
請求項１に記載の冷媒管理システム。
【請求項３】
前記記憶部は、さらに、前記冷媒使用機器の能力に関する能力情報と関連づけて、前記冷媒既充填量を記憶し、
前記取得部は、
前記能力情報を含む入力データを取得し、
前記入力データに含まれる前記能力情報に基づいて前記冷媒既充填量を取得する、
請求項１に記載の冷媒管理システム。
【請求項４】
前記記憶部は、さらに、前記機器特定情報と関連づけて、前記冷媒使用機器の能力に関する能力情報を記憶し、
前記取得部は、
前記機器特定情報と関連づけて前記冷媒既充填量を記憶している場合には、取得した前記第１情報の前記機器特定情報に基づいて、記憶している前記冷媒既充填量を取得し、
前記機器特定情報と関連づけて前記冷媒既充填量を記憶していない場合には、
取得した前記第１情報の前記機器特定情報に基づいて前記能力情報を取得し、
取得した前記能力情報に基づいて前記冷媒既充填量を取得する、
請求項１に記載の冷媒管理システム。
【請求項５】
前記取得部は、複数の前記第１情報に基づいて、前記業者が業務対象としている複数の前記冷媒使用機器の前記冷媒使用量の総量を取得し、
前記生成部は、前記第２情報として、さらに、前記取得部が取得した前記総量と、前記業者とを関連づけた情報を生成する、
請求項１〜４のいずれか一項に記載の冷媒管理システム。
【請求項６】
前記第１情報は、前記冷媒使用機器の据付時における据付作業、及び、前記冷媒使用機器のメンテナンス時におけるメンテナンス作業の少なくとも一方が行われた作業日又は作業月を含む第３情報をさらに含み、
前記取得部は、前記第３情報に含まれる前記作業日又は前記作業月から所定期間が経過した前記冷媒使用機器に使用されている冷媒の量に基づいて、所定期間内に前記冷媒使用機器から回収される予定の冷媒の量である冷媒回収予定量を取得し、
前記生成部は、前記第２情報として、さらに、前記取得部が取得した前記冷媒回収予定量と、前記業者とを関連づけた情報を生成する、
請求項１〜５のいずれか一項に記載の冷媒管理システム。
【請求項７】
一又は複数のコンピュータ（２０）に、
前記冷媒使用機器を特定するための機器特定情報と関連づけて、前記冷媒使用機器に予め充填されている冷媒の量である冷媒既充填量を記憶するステップと、
冷媒使用機器（３０）の据付時及びメンテナンス時の少なくとも一方において、前記機器特定情報と、前記冷媒使用機器に関する業務を行う業者に関する業者情報と、前記冷媒使用機器に追加で充填された冷媒の量である冷媒追加充填量を含む冷媒追加充填量情報とを有する第１情報を取得するステップと、
取得した前記第１情報の前記機器特定情報に基づいて前記冷媒既充填量を取得するステップと、
取得した前記冷媒既充填量と、取得した前記第１情報の前記冷媒追加充填量情報に含まれる前記冷媒追加充填量とを合計することで前記冷媒使用機器に使用されている冷媒の量である冷媒使用量を取得するステップと、
取得した前記冷媒使用量と、取得した前記第１情報の前記業者情報とを用いて、前記冷媒使用量と前記業者とを関連づけた第２情報を生成するステップと、
を実行させるためのプログラム。
【手続補正２】
【補正対象書類名】明細書
【補正対象項目名】全文
【補正方法】変更
【補正の内容】
【発明の詳細な説明】
【技術分野】
【０００１】
冷媒を管理するためのシステム及びプログラムに関する。
【背景技術】
【０００２】
従来、特許文献１（特開２０１５−１２５６７２号公報）に開示されているように、フロン類回収業者に引き渡された又は引き渡される予定のフロン類冷媒に関する情報に基づいて、冷媒の再利用等の目的で冷媒の管理を行うシステムが知られている。
【発明の概要】
【発明が解決しようとする課題】
【０００３】
回収業者に引き渡される前の冷媒の管理まで行うことが難しいという課題がある。
【課題を解決するための手段】
【０００４】
第１観点の冷媒管理システムは、一又は複数のコンピュータを備える。コンピュータは、取得部と記憶部と生成部とを有する。取得部は、第１情報を取得し、冷媒既充填量を取得し、冷媒使用量を取得する。生成部は、第２情報を生成する。第１情報は、冷媒使用機器を特定するための機器特定情報と、冷媒使用機器に関する業務を行う業者に関する業者情報と、冷媒使用機器に追加で充填された冷媒の量である冷媒追加充填量を含む冷媒追加充填量情報とを有する。冷媒既充填量は、冷媒使用機器に予め充填されている冷媒の量である。冷媒使用量は、冷媒使用機器に使用されている冷媒の量である。第２情報は、冷媒使用量と業者とを関連づけた情報である。取得部は、冷媒使用機器の据付時及びメンテナンス時の少なくとも一方において第１情報を取得する。取得部は、取得した第１情報の機器特定情報に基づいて冷媒既充填量を取得する。取得部は、取得した冷媒既充填量と、取得した第１情報の冷媒追加充填量情報に含まれる冷媒追加充填量とを合計することで冷媒使用量を取得する。記憶部は、機器特定情報と関連づけて冷媒既充填量を記憶する。生成部は、取得部が取得した冷媒使用量と、取得部が取得した第１情報の業者情報とを用いて第２情報を生成する。取得部は、取得した第１情報の機器特定情報に基づいて、記憶部が記憶している冷媒既充填量を取得する。
【０００５】
第１観点の冷媒管理システムは、回収業者に引き渡される前の冷媒の管理を行うことができる。
【０００６】
第１観点の冷媒管理システムは、冷媒使用機器に使用されている冷媒の量を取得することができる。
【０００７】
第２観点の冷媒管理システムは、第１観点のシステムであって、記憶部は、さらに、機器特定情報と関連づけて、冷媒使用機器の能力に関する能力情報を記憶する。取得部は、取得した第１情報の機器特定情報に基づいて能力情報を取得し、取得した能力情報に基づいて冷媒既充填量を取得する。
【０００８】
第２観点の冷媒管理システムは、冷媒使用機器に予め充填されている冷媒の量の予測値を取得することができる。
【０００９】
第３観点の冷媒管理システムは、第１観点のシステムであって、記憶部は、さらに、冷媒使用機器の能力に関する能力情報と関連づけて、冷媒既充填量を記憶する。取得部は、能力情報を含む入力データを取得し、入力データに含まれる能力情報に基づいて冷媒既充填量を取得する。
【００１０】
第３観点の冷媒管理システムは、冷媒使用機器に予め充填されている冷媒の量の予測値を取得することができる。
【００１１】
第４観点の冷媒管理システムは、第１観点のシステムであって、記憶部は、さらに、機器特定情報と関連づけて、冷媒使用機器の能力に関する能力情報を記憶する。取得部は、機器特定情報と関連づけて冷媒既充填量を記憶している場合には、取得した第１情報の機器特定情報に基づいて、記憶している冷媒既充填量を取得する。コンピュータは、機器特定情報と関連づけて冷媒既充填量を記憶していない場合には、取得した第１情報の機器特定情報に基づいて能力情報を取得し、取得した能力情報に基づいて冷媒既充填量を取得する。
【００１２】
第４観点の冷媒管理システムは、冷媒使用機器に予め充填されている冷媒の量として用いることができる適切な値を取得することができる。
【００１３】
第５観点の冷媒管理システムは、第１観点から第４観点のいずれかのシステムであって、取得部は、複数の第１情報に基づいて、業者が業務対象としている複数の冷媒使用機器の冷媒使用量の総量を取得する。生成部は、第２情報として、さらに、取得部が取得した総量と、業者とを関連づけた情報を生成する。
【００１４】
第５観点の冷媒管理システムは、各業者が業務対象としている全ての冷媒使用機器に充填され使用されている冷媒の量を業者と関連付けて管理することができる。
【００１５】
第６観点の冷媒管理システムは、第１観点から第５観点のいずれかのシステムであって、第１情報は、第３情報をさらに含む。第３情報は、冷媒使用機器の据付時における据付作業、及び、冷媒使用機器のメンテナンス時におけるメンテナンス作業の少なくとも一方が行われた作業日又は作業月を含む。取得部は、第３情報に含まれる作業日又は作業月から所定期間が経過した冷媒使用機器に使用されている冷媒の量に基づいて、所定期間内に冷媒使用機器から回収される予定の冷媒の量である冷媒回収予定量を取得する。生成部は、第２情報として、さらに、取得部が取得した冷媒回収予定量と、業者とを関連づけた情報を生成する。
【００１６】
第６観点の冷媒管理システムは、冷媒使用機器から回収される見込みがある冷媒の量を管理することができる。
【００１７】
第６観点の冷媒管理システムは、所定期間内に冷媒使用機器から回収される冷媒の量の適切な予測値として冷媒回収予定量を用いることができる。
【００１８】
第６観点の冷媒管理システムは、所定期間内に冷媒使用機器から回収される冷媒の量の適切な予測値として冷媒回収予定量を用いることができる。
【００１９】
第７観点のプログラムは、一又は複数のコンピュータに、以下のステップ（１）〜（５）を実行させるためのプログラムである。
（１）冷媒使用機器を特定するための機器特定情報と関連づけて、冷媒使用機器に予め充填されている冷媒の量である冷媒既充填量を記憶するステップ。
（２）冷媒使用機器の据付時及びメンテナンス時の少なくとも一方において、第１情報を取得するステップ。第１情報は、機器特定情報と、冷媒使用機器に関する業務を行う業者に関する業者情報と、冷媒使用機器に追加で充填された冷媒の量である冷媒追加充填量を含む冷媒追加充填量情報とを有する。
（３）取得した第１情報の機器特定情報に基づいて冷媒既充填量を取得するステップ。
（４）取得した冷媒既充填量と、取得した第１情報の冷媒追加充填量情報に含まれる冷媒追加充填量とを合計することで冷媒使用機器に使用されている冷媒の量である冷媒使用量を取得するステップ。
（５）取得した冷媒使用量と、取得した第１情報の業者情報とを用いて、冷媒使用量と業者とを関連づけた第２情報を生成するステップ。
【００２０】
第７観点のプログラムは、回収業者に引き渡される前の冷媒の管理を行うことができる。
【図面の簡単な説明】
【００２１】
【図１】冷媒循環サイクルの模式図である。
【図２】冷媒管理システム１００のネットワーク構成を示す図である。
【図３】冷媒管理システム１００の全体構成を示す模式図である。
【図４】入力端末１０ａ，１０ｂ，・・・、管理者用端末８０及び管理サーバ２０のブロック図である。
【図５】機器情報データベースＤＢ１を説明するための図である。
【図６】業者ごとの業務内容を示す表である。
【図７】冷媒既充填量を取得する処理のフローチャートである。
【図８】据付業者Ｃ１の入力によって管理サーバ２０が取得する第１情報から生成された第２情報を説明するための図である。
【図９】メンテナンス業者Ｃ１の入力によって管理サーバ２０が取得する第１情報から生成された第２情報を説明するための図である。
【図１０】回収業者Ｃ１の入力によって管理サーバ２０が取得する第１情報を説明するための図である。
【図１１】再生業者Ｃ４の入力によって管理サーバ２０が取得する第１情報を説明するための図である。
【図１２】分配業者Ｃ５の入力によって管理サーバ２０が取得する第１情報を説明するための図である。
【図１３】管理者Ｓのみが閲覧権限を有する第２情報の一例を説明するための図である。
【図１４】廃却業者Ｃ９の入力によって管理サーバ２０が取得する第１情報を説明するための図である。
【図１５】変形例Ｂにおける第２情報を説明するための図である。
【図１６】変形例Ｃにおける第２情報を説明するための図である。
【図１７】変形例Ｃにおける第２情報を説明するための図である。
【発明を実施するための形態】
【００２２】
（１）全体構成
冷媒管理システム１００は、冷媒使用機器に使用されている冷媒の管理を行うシステムである。冷媒使用機器とは、冷媒を用いる蒸気圧縮式の冷凍サイクルを備える機器である。冷媒使用機器は、例えば、空気調和装置、空気清浄装置、ヒートポンプ式給湯装置、冷凍装置又は冷蔵装置である。冷媒使用機器に使用される冷媒は、例えば、Ｒ３２、Ｒ４５２Ｂ、Ｒ４１０Ａ、Ｒ４５４Ｂ、ＨＦＯ系混合冷媒（例えば、ＨＦＯ−１１２３とＲ３２との混合冷媒）、ＣＯ２又はＣＦ３Ｉ（単体もしくはその混合冷媒）である。
【００２３】
冷媒管理システム１００が行う冷媒の管理とは、冷媒循環サイクルで流通している冷媒を一元的に把握すること、又は、把握した冷媒の情報を各業者に提供することを意味する。図１は、冷媒循環サイクルの模式図である。冷媒循環サイクルは、主として、生産段階、分配段階、据付段階、メンテナンス段階、回収段階、再生段階、及び、廃却段階から構成される。図１では、冷媒の流れが矢印で示されている。冷媒は、ボンベ等の専用の容器、又は、冷媒使用機器に充填された状態で流通する。図１には、冷媒が充填された容器Ｒ１、及び、冷媒が充填された冷媒使用機器Ｒ２の流れが示されている。
【００２４】
生産段階では、冷媒製造業者によって冷媒が新規に生産される。分配段階では、新規に生産された冷媒が専用のボンベ等に充填されて出荷される。冷媒の出荷先は、例えば、冷媒使用機器の製造業者（以下、「機器製造業者」と呼ぶ。）、冷媒使用機器の据付業者、及び、冷媒使用機器のメンテナンス業者である。機器製造業者、据付業者及びメンテナンス業者は、同一の業者であってもよく、互いに異なる業者であってもよい。機器製造業者は、冷媒使用機器の製造時又は出荷時において、必要に応じて冷媒使用機器に冷媒を充填する。
【００２５】
分配段階では、冷媒の分配業者によって、新規に生産された冷媒、又は、再生された冷媒が分配される。分配業者は、例えば、冷媒製造業者が製造した冷媒、又は、再生された冷媒を買い取り、機器製造業者、据付業者及びメンテナンス業者の少なくとも１つに販売する。分配業者は、冷媒の販売業者であってもよい。分配業者は、冷媒が充填された冷媒使用機器を分配する業者であってもよい。
【００２６】
据付段階では、据付業者によって所定の設置場所に冷媒使用機器が据え付けられる。所定の設置場所は、例えば、冷媒使用機器の保有者が利用又は所有している建物等の物件である。据付業者は、冷媒使用機器の据付時において、必要に応じて、冷媒が充填されたボンベ等を用いて、冷媒使用機器及び冷媒配管に冷媒を充填する。
【００２７】
メンテナンス段階では、メンテナンス業者によって、設置された冷媒使用機器の保守管理が行われる。具体的には、メンテナンス業者は、冷媒使用機器の点検作業又は修理作業等を行う。メンテナンス業者は、必要に応じて、冷媒が充填されたボンベ等を用いて、冷媒使用機器に充填されている冷媒の交換作業、又は、冷媒使用機器に冷媒を補充するための再充填作業を行う。冷媒の交換作業は、例えば、冷媒使用機器が設置された後、所定の期間が経過した時に行われる。冷媒の再充填作業は、例えば、冷媒使用機器に充填されている冷媒の量が不足していることが点検時に発覚した時に行われる。
【００２８】
回収段階では、冷媒の回収業者によって、冷媒使用機器、又は、物件に据え付けられた冷媒使用機器及び冷媒配管に充填されている冷媒が回収される。回収業者は、冷媒使用機器の修理、移設又は廃棄等の際に、冷媒を回収する。冷媒の回収方法としては、冷媒配管に充填されている冷媒を冷媒使用機器内に集めて回収する方法、及び、冷媒使用機器と冷媒配管中の冷媒を専用のボンベ等に充填して回収する方法等がある。回収業者は、冷媒使用機器に充填されている冷媒を交換する時にも、冷媒使用機器から冷媒を取り出して回収する。
【００２９】
再生段階では、冷媒の再生業者によって、回収業者が回収した冷媒の再生処理が行われる。冷媒の再生処理とは、例えば、回収された冷媒から不純物を取り除く処理、及び、回収された冷媒を原料にして冷媒を再生産する処理である。再生業者は、再生予定の冷媒が充填されたボンベ等を回収業者から引き取って、冷媒を再生する。再生された冷媒は、専用のボンベ等に充填される。
【００３０】
廃却段階では、回収業者によって回収された冷媒の一部が廃却業者によって廃却される。冷媒の廃却とは、例えば、冷媒を化学的に破壊して人体・環境に悪影響を与えにくい物質に変換する作業、及び、使用されないように冷媒を保管する作業を意味する。廃却業者は、廃却予定の冷媒が充填された冷媒使用機器及びボンベ等を回収業者から引き取って、冷媒を廃却する。
【００３１】
以下において、「業者」とは、特に断りがない限り、機器製造業者、冷媒製造業者、据付業者、メンテナンス業者、回収業者、再生業者、及び、分配業者を指すものとする。これらの業者の少なくとも一部が同一の業者であってもよい。例えば、機器製造業者、据付業者、メンテナンス業者及び回収業者が、同一の業者であってもよく、再生業者及び分配業者が、同一の業者であってもよい。本実施形態では、据付業者、メンテナンス業者及び回収業者は、同一の業者であるとする。各業者は、冷媒管理システム１００にアクセスするために必要なログインＩＤが割り当てられている。互いに異なる複数の業者に同一のログインＩＤが割り当てられることはない。業者は、自身のログインＩＤを用いてログイン処理を行うことで冷媒管理システム１００にアクセスすることができる。
【００３２】
図２は、冷媒管理システム１００のネットワーク構成を示す図である。図３は、冷媒管理システム１００の全体構成を示す模式図である。図３に示される矢印は、冷媒管理システム１００が取り扱うデータの流れを示す。
【００３３】
冷媒管理システム１００は、主として、複数の入力端末１０ａ，１０ｂ，・・・と、１つの管理サーバ２０と、１つの管理者用端末８０と、これらを接続するネットワーク９０とから構成される。ネットワーク９０は、例えば、インターネットである。
【００３４】
入力端末１０ａ，１０ｂ，・・・は、業者によって使用及び管理されるクライアントコンピュータである。入力端末１０ａ，１０ｂ，・・・は、例えば、スマートフォン又はタブレット等の携帯端末である。業者が法人等の団体である場合、入力端末１０ａ，１０ｂ，・・・の実際の操作者は、メーカーのサービスマン等、その業者に所属している個人である。以下において、「業者」という用語は、入力端末１０ａ，１０ｂ，・・・を実際に操作する者も意味する。業者は、冷媒循環サイクルで流通している冷媒に関する作業を行う際に、入力端末１０ａ，１０ｂ，・・・を操作して、入力端末１０ａ，１０ｂ，・・・に所定のデータを入力する。入力端末１０ａ，１０ｂ，・・・は、業者によって入力されたデータを、ネットワーク９０を介して管理サーバ２０に送信する機能を有する。入力端末１０ａ，１０ｂ，・・・は、必要に応じて、管理サーバ２０から所定のデータを受信する機能を有する。冷媒管理システム１００では、図３に示されるように、第１業者Ｃ１、再生業者Ｃ４、分配業者Ｃ５、機器製造業者Ｃ６、冷媒製造業者Ｃ７及び廃却業者Ｃ９は、それぞれ、入力端末１０ａ、入力端末１０ｂ、入力端末１０ｃ、入力端末１０ｄ、入力端末１０ｅ、入力端末１０ｆを所有している。本実施形態では、第１業者Ｃ１は、据付業者、メンテナンス業者及び回収業者の全てを兼ねる業者である。再生業者Ｃ４、分配業者Ｃ５、機器製造業者Ｃ６、冷媒製造業者Ｃ７及び廃却業者Ｃ９は、互いに異なる業者であり、かつ、第１業者Ｃ１とは異なる業者である。
【００３５】
管理サーバ２０は、冷媒管理システム１００の管理者Ｓによって管理されるサーバコンピュータである。管理サーバ２０として、レンタルサーバ、又は、クラウドサービスを利用した仮想サーバ等が用いられてもよい。管理サーバ２０は、入力端末１０ａ，１０ｂ，・・・から受信したデータの蓄積・処理、ネットワーク９０の中継及びネットワーク９０の管理等の作業を行う。管理サーバ２０は、ネットワーク９０を介して、入力端末１０ａ，１０ｂ，・・・との間で所定のデータを送受信する機能を有する。管理サーバ２０は、図２に示されるように、管理者用データ２０ａ及びユーザ用データ２０ｂを記憶している。管理者用データ２０ａとは、冷媒管理システム１００の管理者Ｓのみが閲覧権限を有するデータである。ユーザ用データ２０ｂとは、業者が閲覧権限を有するデータである。管理サーバ２０は、業者ごとにユーザ用データ２０ｂを記憶している。冷媒管理システム１００にログインした業者は、自身の入力端末１０ａ，１０ｂ，・・・を用いて、自身のユーザ用データ２０ｂにアクセスすることができる。管理者Ｓは、全ての業者のユーザ用データ２０ｂの閲覧権限を有する。
【００３６】
管理者用端末８０は、冷媒管理システム１００の管理者Ｓによって使用されるコンピュータである。管理者Ｓは、管理者用端末８０を用いて管理サーバ２０にアクセスして、冷媒循環サイクルで流通している冷媒を管理する。例えば、管理者Ｓは、管理者用端末８０を用いて管理サーバ２０から所定のデータを取得して、冷媒管理システム１００によって管理されている冷媒に関する情報及びサービスを業者に提供する。
【００３７】
業者は、入力端末１０ａ，１０ｂ，・・・を操作して、管理サーバ２０に所定のデータを直接入力することができる。管理サーバ２０は、業者が入力端末１０ａ，１０ｂ，・・・を操作して管理サーバ２０に入力したデータに基づいて、第１情報を取得して記憶することができる。業者が管理者Ｓを兼ねている場合、業者は、管理者用のログインＩＤと業者用のログインＩＤとの両方を有することになる。管理サーバ２０は、業者が管理者用端末８０を操作して管理サーバ２０に入力したデータに基づいて、第１情報を取得して記憶することができる。管理サーバ２０は、取得した第１情報に基づいて第２情報を生成して記憶することができる。第１情報及び第２情報の詳細は後述する。
【００３８】
（２）詳細構成
図４は、入力端末１０ａ，１０ｂ，・・・、管理者用端末８０及び管理サーバ２０のブロック図である。
【００３９】
（２−１）入力端末
入力端末１０ａ，１０ｂ，・・・は、主として、入力部１１と、送信部１２と、受信部１３と、表示部１４と、記憶部１５と、制御部１６とを備える。
【００４０】
入力部１１は、業者による入力端末１０ａ，１０ｂ，・・・の操作を受け付ける。送信部１２は、ネットワーク９０を介して管理サーバ２０にデータを送信する。受信部１３は、ネットワーク９０を介して管理サーバ２０からデータを受信する。受信部１３が受信するデータは、例えば、管理サーバ２０に記憶されている第１情報及び第２情報である。表示部１４は、入力端末１０ａ，１０ｂ，・・・のディスプレイに所定のデータを表示させる。表示部１４によって表示されるデータは、例えば、業者が入力端末１０を操作して管理サーバ２０に入力したデータ、及び、管理サーバ２０から受信したデータである。記憶部１５は、管理サーバ２０から受信したデータ等を記憶する。制御部１６は、入力部１１と、送信部１２と、受信部１３と、表示部１４と、記憶部１５とを制御する。
【００４１】
（２−２）管理者用端末
管理者用端末８０は、主として、入力部８１と、送信部８２と、受信部８３と、表示部８４と、記憶部８５と、制御部８６とを備える。
【００４２】
入力部８１は、管理者Ｓによる管理者用端末８０の操作を受け付ける。送信部８２は、ネットワーク９０を介して管理サーバ２０にデータを送信する。受信部８３は、ネットワーク９０を介して管理サーバ２０からデータを受信する。受信部８３が受信するデータは、例えば、管理サーバ２０に記憶されている第１情報及び第２情報である。表示部８４は、管理者用端末８０のディスプレイに所定のデータを表示させる。表示部８４によって表示されるデータは、例えば、管理者Ｓが管理者用端末８０を操作して管理サーバ２０に入力したデータ、及び、管理サーバ２０から受信したデータである。記憶部８５は、管理サーバ２０から受信したデータ等を記憶する。制御部８６は、入力部８１と、送信部８２と、受信部８３と、表示部８４と、記憶部８５とを制御する。
【００４３】
（２−３）管理サーバ
管理サーバ２０は、主として、制御部２６と、記憶部２２と、送信部２４と、受信部２５とを備える。
【００４４】
制御部２６は、プログラムを読み込んで実行することができる、マイクロコントローラ及びＣＰＵ等である。制御部２６は、主として、取得部２１と生成部２３とを有する。取得部２１及び生成部２３は、制御部２６によって読み込まれて実行されるプログラムによって実現される機能に相当する。
【００４５】
取得部２１は、業者が入力端末１０ａ，１０ｂ，・・・又は管理者用端末８０を操作して管理サーバ２０に入力したデータに基づいて、第１情報を取得する。取得部２１は、冷媒使用機器の据付時、及び、冷媒使用機器のメンテナンス時の少なくとも１つの時点において、第１情報を取得する。言い換えると、取得部２１は、図１に示される冷媒循環サイクルの据付段階及びメンテナンス段階の少なくとも１つの段階において、第１情報を取得する。
【００４６】
生成部２３は、取得部２１が取得した第１情報に基づいて、第２情報を生成する。
【００４７】
記憶部２２は、ＨＤＤ及びＳＳＤ等の補助記憶装置である。記憶部２２は、取得部２１が取得した第１情報、及び、第１情報から生成された第２情報を記憶する。記憶部２２は、図４に示されるように、機器情報データベースＤＢ１と、冷媒情報データベースＤＢ２と、アカウント情報データベースＤＢ３と、アカウント管理データベースＤＢ４と、イベント情報データベースＤＢ５と、冷媒管理情報データベースＤＢ６とから構成される。
【００４８】
送信部２４及び受信部２５は、ネットワーク機器である。送信部２４は、第１情報、又は、生成部２３が生成した第２情報を管理者Ｓ又は業者に送信する。具体的には、例えば、送信部２４は、管理者Ｓ又は業者が使用している端末等に第１情報又は第２情報を送信する。受信部２５は、ネットワーク９０を介して入力端末１０ａ，１０ｂ，・・・及び管理者用端末８０からデータを受信する。
【００４９】
（２−４）管理サーバの詳細
（２−４−１）データベース
管理サーバ２０が記憶部２２内に有している各データベースについて説明する。
【００５０】
図５は、機器情報データベースＤＢ１を説明するための図である。機器情報データベースＤＢ１は、冷媒管理システム１００に登録されている冷媒使用機器３０に関する情報を記憶している。機器情報データベースＤＢ１の各レコードは、機器ＩＤと、機種名と、機器製造業者ＩＤと、冷媒種別と、冷媒既充填量と、能力情報とを少なくとも含む。機器情報データベースＤＢ１の主キーとして、機器ＩＤが用いられてもよい。
【００５１】
機器ＩＤとは、冷媒管理システム１００に冷媒使用機器３０を登録する際に、冷媒使用機器３０に付与されるＩＤである。機器ＩＤは、冷媒使用機器３０の製造番号等であってもよい。機種名とは、冷媒使用機器３０の機種を表す文字列である。機器製造業者ＩＤとは、冷媒使用機器３０を製造した機器製造業者Ｃ６に付与される業者ＩＤである。冷媒種別とは、冷媒使用機器３０に使用される冷媒の種類を表す文字列である。冷媒既充填量とは、冷媒使用機器３０に予め充填されている冷媒の量である。冷媒の量は、冷媒の重量で表される。冷媒の量の単位は、キログラムである。能力情報とは、冷媒使用機器３０の馬力である。
【００５２】
機器情報データベースＤＢ１が記憶している機器情報は、機器製造業者Ｃ６が機器製造時又は機器出荷時に管理サーバ２０に登録する情報である。機器情報データベースＤＢ１に登録されていない機器情報は、据付業者Ｃ１又はメンテナンス業者Ｃ２が管理サーバ２０にアクセスして登録できるようになっている。
【００５３】
本実施形態では、管理サーバ２０は、機器情報データベースＤＢ１を記憶部２２内に有しているが、機器製造業者Ｃ６が保有するデータベースにネットワークを介してアクセスすることで機器情報を取得してもよい。
【００５４】
冷媒情報データベースＤＢ２は、冷媒管理システム１００に登録されている冷媒の流通に利用されるボンベに関する情報を記憶している。冷媒情報データベースＤＢ２の各レコードは、ボンベＩＤと、分配業者ＩＤと、冷媒種別と、冷媒量とを少なくとも含む。
【００５５】
アカウント情報データベースＤＢ３は、冷媒管理システム１００に登録されている各業者と管理者に関する情報を記憶している。アカウント情報データベースＤＢ３の各レコードは、業者ＩＤと、業者名と、業務内容と、ログインＩＤとを少なくとも含む。業者ＩＤとは、冷媒管理システム１００に第１業者Ｃ１等の業者を登録する際に、業者に付与されるＩＤである。業者が登録される際、既に登録されている業者に付与された業者ＩＤと重複しないように、管理サーバ２０は、業者に業者ＩＤを付与して業者を登録する。業務内容とは、据付業務及びメンテナンス業務等の業務内容を表す文字列である。ログインＩＤとは、業者が管理サーバ２０にアクセスする際に使用するＩＤである。ログインＩＤと業者ＩＤとは関連付けられて、アカウント情報データベースＤＢ３に記憶されている。
【００５６】
アカウント管理データベースＤＢ４は、冷媒管理システム１００に登録されている各業者に対する権限付加情報を記憶している。具体的には、アカウント管理データベースＤＢ４には、業務内容、記憶部２２に記憶されている情報の閲覧権限、及び、管理サーバ２０にアクセスして行える作業の権限に関する情報が業者ごとに保存されている。図６は、業者ごとの業務内容を示すテーブルである。図６には、各業者が行うことができる業務の種類が示されている。図６において、分配業務、据付業務、メンテナンス業務、回収業務、再生業務、及び、廃却業務は、それぞれ、図１の分配段階、据付段階、メンテナンス段階、回収段階、再生段階、及び、廃却段階において業者によって行われる業務を意味する。
【００５７】
例えば、図６において、業者ＩＤが「ＣＡ００６」である第１業者Ｃ１は、据付業務、メンテナンス業務及び回収業務を行うことができる。この場合、管理サーバ２０は、第１業者Ｃ１が行うことができる業務の種類に基づいて、第１業者Ｃ１は、管理サーバ２０に登録されている機器情報データベースＤＢ１等にアクセスできることを決定する。そして、管理サーバ２０は、第１業者Ｃ１からの要求に応じて、機器情報データベースＤＢ１等から所定のデータを読み込んで、第１業者Ｃ１の入力端末１０ａに送信する。
【００５８】
また、例えば、図６において、業者ＩＤが「ＧＡ０１９」である再生業者Ｃ４は、再生業務のみを行うことができる。この場合、管理サーバ２０は、再生業者Ｃ４が行うことができる業務の種類に基づいて、再生業者Ｃ４は、管理サーバ２０に登録されている機器情報データベースＤＢ１等にアクセスできないことを決定する。
【００５９】
イベント情報データベースＤＢ５は、冷媒管理システム１００に登録されている各業者が行った業務の内容を記憶している。イベント情報データベースＤＢ５の各レコードは、業務内容と、物件ＩＤと、機器保有者ＩＤと、機器ＩＤと、機器設置場所と、冷媒追加充填量とを少なくとも含む。物件ＩＤとは、対象業務を行った物件に付与されるＩＤである。機器保有者ＩＤとは、冷媒使用機器３０の保有者に付与されるＩＤである。機器ＩＤとは、業務対象となった機器に付与されるＩＤである。機器設置場所とは、対象業務を行った物件の住所を表す文字列である。冷媒追加充填量とは、対象業務を行った際に機器又は冷媒配管に追加充填された冷媒の量である。
【００６０】
冷媒管理情報データベースＤＢ６は、第１情報及び第２情報を記憶している。
【００６１】
（２−４−２）冷媒既充填量の取得方法
管理サーバ２０の取得部２１は、各業者の業務対象となる冷媒使用機器３０に出荷時に充填されている冷媒量である冷媒既充填量を取得する。図７に冷媒既充填量を取得する処理のフローチャートを示す。図７には、ステップＳ１１〜Ｓ２０の処理が示されている。なお、冷媒既充填量を取得する処理は、各業者が管理サーバ２０にアクセスし業務内容を登録するときと、管理サーバ２０の生成部２３が第２情報を生成するときに行われる。
【００６２】
各業者が管理サーバ２０にアクセスし業務内容の登録を開始すると、図７のフローが開始される。ステップＳ１１では、業者は、入力端末１０ａ，１０ｂ，・・・を操作して、冷媒既充填量を取得する対象である冷媒使用機器３０の機器ＩＤを管理サーバ２０に入力する。ステップＳ１２〜Ｓ１９は、管理サーバ２０の取得部２１によって行われる処理である。
【００６３】
ステップＳ１２では、ステップＳ１１で入力された機器ＩＤに対応する冷媒使用機器３０の冷媒既充填量が機器情報データベースＤＢ１に登録されているか否かが判定される。ステップＳ１２において登録されていると判定された場合、ステップＳ１３において、機器情報データベースＤＢ１から、冷媒使用機器３０の冷媒既充填量が取得される。ステップＳ１２において登録されていないと判定された場合、ステップＳ１４において、冷媒使用機器３０の能力情報を含む入力データが入力されているか否か、又は、冷媒使用機器３０の能力情報が機器情報データベースＤＢ１に登録されているか否かが判定される。
【００６４】
ステップＳ１４において能力情報を含む入力データが入力されている、又は、能力情報が機器情報データベースＤＢ１に登録されていると判定された場合、ステップＳ１５において、入力データに含まれる能力情報、又は、登録されている能力情報に基づいて冷媒既充填量が予測され、予測値が冷媒既充填量として取得される。例えば、能力が８馬力の場合は冷媒既充填量が２０ｋｇであり、１０馬力の場合は冷媒既充填量が２１ｋｇであり、１２馬力の場合は冷媒既充填量が２３ｋｇであり、１４馬力の場合は冷媒既充填量が２４ｋｇであると予測して、冷媒既充填量を取得する。ステップＳ１４において能力情報を含む入力データが入力されていない、かつ、能力情報が機器情報データベースＤＢ１に登録されていないと判定された場合、ステップＳ１６において、冷媒使用機器３０の冷媒既充填量が入力されているか否かが判定される。ステップＳ１６において入力されていると判定された場合、ステップＳ１７において、冷媒既充填量の入力値が妥当であるか否かが判定される。例えば、冷媒既充填量が所定の範囲内にあるか否かが判定される。所定の範囲とは、例えば上記の能力情報に基づいて予測された値に余裕を持たせた１８ｋｇから２６ｋｇの間としてもよい。ステップＳ１７において入力値が妥当であると判定された場合、ステップＳ１８において、入力値が冷媒既充填量として取得される。ステップＳ１６において入力されていないと判定された場合、又は、ステップＳ１７において入力値が妥当でないと判定された場合、ステップＳ１９において、冷媒既充填量のデフォルト値が取得される。ステップＳ２０では、管理サーバ２０の記憶部２２は、ステップＳ１３，Ｓ１５，Ｓ１８，Ｓ１９で取得された冷媒既充填量を冷媒使用機器３０の冷媒既充填量として記憶する。
【００６５】
（２−５）第１情報及び第２情報
管理サーバ２０が取り扱うデータである第１情報及び第２情報について説明する。
【００６６】
業者は、入力端末１０ａ，１０ｂ，・・・を操作して管理サーバ２０にアクセスし、管理サーバ２０が作成した所定のフォーマットに必要なデータを入力する。第１情報は、業者が入力したデータに基づいて管理サーバ２０が取得する情報である。
【００６７】
第２情報は、冷媒使用機器３０に使用されている冷媒の量である冷媒使用量と、第１情報として取得した業者の情報とを関連付けた情報である。「冷媒使用機器３０に使用される冷媒」は、冷媒使用機器３０に充填されて使用されている冷媒、及び、冷媒使用機器３０に接続された冷媒配管に充填されている冷媒である。管理サーバ２０の取得部２１は、冷媒既充填量と冷媒追加充填量とを合計することで冷媒使用量を取得する。
【００６８】
次に、第１業者Ｃ１、再生業者Ｃ４及び分配業者Ｃ５が、それぞれ、入力端末１０ａ、入力端末１０ｂ及び入力端末１０ｃを操作して管理サーバ２０に入力したデータに基づいて、管理サーバ２０が取得する第１情報の、及び、第１情報から生成される第２情報について説明する。
【００６９】
以下において、説明を分かりやすくするために、必要に応じて、据付業者としての第１業者Ｃ１を据付業者Ｃ１と呼び、メンテナンス業者としての第１業者Ｃ１をメンテナンス業者Ｃ１と呼び、回収業者としての第１業者Ｃ１を回収業者Ｃ１と呼ぶ。
【００７０】
（２−５−１）据付業者の入力によって管理サーバが取得する第１情報、及び、第１情報から生成される第２情報
図８は、据付業者Ｃ１の入力によって管理サーバ２０が取得する第１情報から生成された第２情報Ｔ１１、Ｔ１２を説明するための図である。据付業者Ｃ１は、据付作業完了時に管理サーバ２０に据付情報の入力を行う。第１業者Ｃ１は、管理サーバ２０にログイン処理を行った後に、実施した業務の種類として据付業務を選択し、据付業者Ｃ１として、管理サーバ２０に機器ＩＤと、機器保有者ＩＤと、物件ＩＤと、機器設置場所情報と、冷媒追加充填量とを入力する。入力された各データは、それぞれ記憶部２２のイベント情報データベースＤＢ５に保存される。
【００７１】
据付業者Ｃ１の入力によって管理サーバ２０が取得する第１情報は、機器特定情報と、業者情報と、冷媒追加充填量情報とを少なくとも有する。機器特定情報とは、冷媒使用機器３０を特定するための情報であり、本実施形態では機器ＩＤである。業者情報とは、冷媒使用機器３０に関する業務を行う業者に関する情報であり、本実施例では実施者ＩＤに記載されている業者ＩＤである。冷媒追加充填量情報とは、冷媒使用機器３０又は冷媒使用機器３０に接続される冷媒配管に追加で充填された冷媒の量である冷媒追加充填量に関する情報である。
【００７２】
管理サーバ２０は、据付業者Ｃ１が管理サーバ２０にログインしたときに据付業者Ｃ１のログインＩＤからアカウント情報データベースＤＢ３に保存されている業者ＩＤを取得して、実施者ＩＤとして記憶する。
【００７３】
管理サーバ２０は、据付業者Ｃ１が入力した機器ＩＤから機種名と機器製造業者の情報を機器情報データベースＤＢ１から取得する。さらに、管理サーバ２０は、図７の冷媒既充填量の取得フローに沿って、冷媒既充填量を取得する。
【００７４】
管理サーバ２０は、据付業者Ｃ１が据付情報を管理サーバ２０に入力した後に据付情報の登録を決定すると、据付情報を登録した日付を実施年月日として取得する。
【００７５】
なお、イベント情報データベースＤＢ５に物件ＩＤが登録されている場合は、管理サーバ２０は物件ＩＤから機器設置場所情報を取得することができるため、物件ＩＤから機器設置場所情報を取得してもよい。
【００７６】
管理サーバ２０の生成部２３は、据付業者Ｃ１の入力によって取得した第１情報に続いて冷媒既充填量等の情報を取得し、図８に示されるように、第２情報Ｔ１１、Ｔ１２を生成して冷媒管理情報データベースＤＢ６に保存する。
【００７７】
図８に示される第２情報Ｔ１２では、冷媒使用量と、第２情報Ｔ１１に含まれる実施者ＩＤとが関連付けられている。図８には、第２情報Ｔ１２として、さらに、第２情報Ｔ１１に含まれる、実施年月日、機器ＩＤ、冷媒種別、冷媒既充填量及び冷媒追加充填量が示されている。
【００７８】
（２−５−２）メンテナンス業者の入力によって管理サーバが取得する第１情報、及び、第１情報から生成される第２情報
図９は、メンテナンス業者Ｃ１の入力によって管理サーバ２０が取得する第１情報から生成された第２情報Ｔ２１、Ｔ２２を説明するための図である。メンテナンス業者Ｃ１は、メンテナンス作業完了時に管理サーバ２０にメンテナンス情報の入力を行う。第１業者Ｃ１は、ログイン処理を行った後に、実施した業務の種類としてメンテナンス業務を選択し、メンテナンス業者Ｃ１として、管理サーバ２０に機器ＩＤと、機器保有者ＩＤと、物件ＩＤと、冷媒追加充填量とを入力する。入力された各データは、それぞれ記憶部２２のイベント情報データベースＤＢ５に保存される。
【００７９】
メンテナンス業者Ｃ１の入力によって管理サーバ２０が取得する第１情報は、機器特定情報と、業者情報と、冷媒追加充填量情報とを少なくとも有する。
【００８０】
管理サーバ２０は、メンテナンス業者Ｃ１がメンテナンス情報を管理サーバ２０に入力した後にメンテナンス情報の登録を決定すると、メンテナンス情報を登録した日付を実施年月日として取得する。
【００８１】
管理サーバ２０の生成部２３は、据付作業時に作成された第２情報Ｔ１１、Ｔ１２と、メンテナンス作業時に入力されたメンテナンス情報とから取得される冷媒既充填量等の情報を取得して、図９に示されるように、第２情報Ｔ２１、Ｔ２２を生成して冷媒管理データベースＤＢ６に保存する。
【００８２】
第２情報Ｔ２２は、第２情報Ｔ２１に基づいて管理サーバ２０の生成部２３が自動的に生成するデータである。メンテナンス業者Ｃ１は、入力端末１０ａを用いて管理サーバ２０から第２情報Ｔ２２を取得することができる。第２情報Ｔ２２は、冷媒使用量と業者とを関連づけた情報を少なくとも有する。冷媒使用量とは、冷媒使用機器３０にメンテナンス時に使用されている冷媒の量である。第２情報Ｔ２２の場合、冷媒使用量とは、メンテナンス業者Ｃ１が冷媒使用機器３０に冷媒を追加で充填した後において、冷媒使用機器３０に充填されている冷媒の総量である。そのため、冷媒使用量は、据付作業完了時の冷媒使用量と同量となっている。メンテナンス作業時に冷媒の追加充填が発生しているということは、据付作業時からメンテナンス作業時までの間に冷媒使用機器内の冷媒が漏れていることになる。そのため、メンテナンス作業時に冷媒を追加充填しても、追加充填後の冷媒使用量は据付作業完了時と同量となっている。
【００８３】
図９に示される第２情報Ｔ２２では、冷媒使用量と、第２情報Ｔ２１に含まれる実施者ＩＤとが関連付けられている。図９には、第２情報Ｔ２２として、さらに、第２情報Ｔ２１に含まれる、実施年月日、機器ＩＤ、冷媒種別、及び、冷媒既充填量が示されている。図９には、第２情報Ｔ２２として、総冷媒追加充填量が示されている。冷媒総追加充填量は、据付作業時に追加充填された冷媒量と、メンテナンス作業時に追加充填された冷媒量との総量である。総冷媒追加充填量は、メンテナンス情報として入力された機器ＩＤに対して過去になされた作業履歴をイベント情報ＤＢ５から取得して、過去の作業時に追加充填された冷媒量に基づいて算出される。
【００８４】
本実施形態のように据付業者とメンテナンス業者とが同一業者の場合、管理サーバ２０へのログイン時に管理サーバ２０が同一業者であることを認識し、実施した業務の種類としてメンテナンス業務をメンテナンス業者が選択した際に、管理サーバ２０がメンテナンス対象機器又は物件をメンテナンス業者に選択させるようにしてもよい。その場合、機器ＩＤ及び物件ＩＤは、管理サーバ２０がイベント情報ＤＢ５から自ら取得することができるため、メンテナンス業者は冷媒追加充填量の入力のみ行えばよいこともある。なお、メンテナンス業者Ｃ１は、メンテナンス内容を管理サーバに登録してもよい。メンテナンス内容とは、メンテナンス業者Ｃ１が実施した、冷媒使用機器３０の保守管理作業の具体的な内容である。メンテナンス内容は、例えば、冷媒使用機器３０から冷媒が漏れ出たことが発覚した場合に冷媒が漏れている箇所を修復する作業、冷媒使用機器３０に充填されている冷媒の量が不足していることが発覚した場合に冷媒を補充する作業、及び、冷媒使用機器３０に充填されている冷媒の少なくとも一部を交換する作業である。
【００８５】
（２−５−３）回収業者の入力によって管理サーバが取得する第１情報
図１０は、回収業者Ｃ１の入力によって管理サーバ２０が取得する第１情報Ｔ３１を説明するための図である。回収業者Ｃ１は、回収作業完了時に管理サーバ２０に冷媒回収情報の入力を行う。第１業者Ｃ１は、ログイン処理を行った後に、実施する業務の種類として回収業務を選択し、回収業者Ｃ１として、管理サーバ２０に機器ＩＤと、機器保有者ＩＤと、物件ＩＤと、冷媒回収量とを入力する。入力された各データは、それぞれ記憶部２２のイベント情報データベースＤＢ５に保存される。回収業者Ｃ１は、ボンベ製造業者Ｃ８から回収用ボンベ５０を受け取る。回収用ボンベ５０とは、回収業者Ｃ１が冷媒使用機器３０から回収した冷媒を充填するための容器である。回収業者Ｃ１がボンベ製造業者Ｃ８から回収用ボンベ５０を受け取った時点において、回収用ボンベ５０には冷媒が充填されていない。
【００８６】
回収業者Ｃ１の入力によって管理サーバ２０が取得する第１情報Ｔ３１は、機器特定情報と、業者情報と、冷媒回収量情報とを少なくとも有する。冷媒回収量情報とは、回収する冷媒使用機器３０に充填された冷媒の量と、冷媒使用機器３０が接続された冷媒配管から回収された冷媒の量との総量である冷媒回収量を含む情報である。回収された冷媒は、回収用ボンベ５０に充填され、冷媒が充填された回収用ボンベ５０と冷媒使用機器３０とは、再生業者Ｃ４又は冷媒廃棄業者Ｃ９に引き渡される。
【００８７】
管理サーバ２０は、回収業者Ｃ１が回収情報管理サーバ２０に入力した後に冷媒回収情報の登録を決定すると、冷媒回収情報を登録した日付を実施年月日として取得する。
【００８８】
管理サーバ２０は、据付作業時又はメンテナンス作業時に作成した第２情報Ｔ１１、Ｔ１２、Ｔ２１、Ｔ２２と、回収作業時に回収業者Ｃ１が入力した回収情報から冷媒回収量等の情報を取得し、図１０に示されるように、第１情報Ｔ３１を生成し冷媒管理データベースＤＢ６に保存する。
【００８９】
本実施形態のように、据付業者とメンテナンス業者と回収業者とが同一業者の場合、管理サーバ２０へのログイン時に管理サーバ２０が同一業者であることを認識し、実施した業務の種類として回収業務を回収業者が選択した際に、管理サーバ２０が回収対象機器又は物件を回収業者に選択させるようにしてもよい。その場合、機器ＩＤ及び物件ＩＤは、管理サーバ２０がイベント情報ＤＢ５から自ら取得することができるため、回収業者は冷媒回収量の入力のみ行えばよいこともある。
【００９０】
（２−５−４）再生業者の入力によって管理サーバが取得する第１情報
図１１は、再生業者Ｃ４の入力によって管理サーバ２０が取得する第１情報Ｔ４１を説明するための図である。再生業者Ｃ４は、再生作業完了時に管理サーバ２０に再生情報の入力を行う。再生業者Ｃ４は、回収業者Ｃ１から冷媒使用機器３０又は回収用ボンベ５０を受け取る。再生業者Ｃ４は、冷媒使用機器３０又は回収用ボンベ５０から、回収業者Ｃ１によって回収された冷媒を全て取り出して、取り出された冷媒の再生処理を行った後、冷媒用容器６０に再生された冷媒を充填する。冷媒用容器６０とは、再生された冷媒が充填される専用の容器である。冷媒用容器６０は、例えば、大型のボンベ、又は、タンクローリーである。再生業者Ｃ４は、再生された冷媒が充填された冷媒用容器６０を、分配業者Ｃ５に引き渡す。
【００９１】
図１１に示されるように、再生業者Ｃ４の入力によって管理サーバ２０が取得する第１情報Ｔ４１は、少なくとも、冷媒回収情報と、冷媒再生情報とを有する。冷媒回収情報とは、再生業者Ｃ４によって再生される前の冷媒に関する情報である。冷媒再生情報とは、再生業者Ｃ４によって再生された後の冷媒に関する情報である。
【００９２】
冷媒回収情報は、回収業者Ｃ１の業者ＩＤである実施者ＩＤと、冷媒種別と、再生前冷媒量とを少なくとも有する。冷媒種別は、回収用ボンベ５０又は冷媒使用機器３０に充填されていた冷媒の種別である。冷媒回収量は、回収業者Ｃ１によって回収された冷媒の量である。冷媒回収情報は、回収業者Ｃ１ごと、及び、冷媒種別ごとのデータを有する。なお、回収された冷媒使用機器３０に充填されている冷媒量については正確でない可能性があるため、再生業者Ｃ４が冷媒使用機器３０から実際に回収した冷媒の量を再生前冷媒量とする。
【００９３】
冷媒再生情報は、再生業者Ｃ４の業者ＩＤである実施者ＩＤと、冷媒種別と、冷媒再生量と、実施年月日とを少なくとも有する。冷媒種別は、再生業者Ｃ４によって再生された冷媒の種別である。冷媒再生量は、再生業者Ｃ４によって再生された冷媒の量である。冷媒再生情報は、冷媒種別ごとのデータを有する。冷媒再生量は、再生前冷媒量より少ない。例えば、冷媒再生量は、再生前冷媒量の約９０％である。
【００９４】
管理サーバ２０は、再生業者Ｃ４が冷媒再生情報を管理サーバ２０に入力した後に冷媒再生情報の登録を決定すると、冷媒再生情報を登録した日付を実施年月日として取得する。
【００９５】
本実施形態のように回収業者と再生業者とが異なる場合に、再生業者Ｃ４が管理サーバ２０へログインした後、管理サーバ２０は、機器ＩＤ、ボンベＩＤ及び物件ＩＤ等を再生業者Ｃ４に第２情報として提供してもよい。管理サーバ２０は、再生業者Ｃ４に提供した第２情報と、再生作業時に入力された冷媒再生量等の情報を取得し、図１１に示されるように、第１情報Ｔ４１を生成して冷媒管理データベースＤＢ６に保存する。
【００９６】
（２−５−５）分配業者の入力によって管理サーバが取得する第１情報
図１２は、分配業者Ｃ５の入力によって管理サーバ２０が取得する第１情報Ｔ５１を説明するための図である。分配業者Ｃ５は、分配作業完了時に管理サーバ２０に分配情報の入力を行う。分配業者Ｃ５は、冷媒製造業者Ｃ７又は再生業者Ｃ４から冷媒用容器６０を受け取る。分配業者Ｃ５が受け取る冷媒用容器６０には、冷媒製造業者Ｃ７が製造した冷媒、又は、再生業者Ｃ４が再生した冷媒が充填されている。分配業者Ｃ５は、冷媒用容器６０に充填された冷媒を、冷媒ボンベ４０又は再生用ボンベ７０に充填する。分配業者Ｃ５は、必要に応じて、第１業者Ｃ１（据付業者Ｃ１又はメンテナンス業者Ｃ１）に、冷媒が充填された冷媒ボンベ４０又は再生用ボンベ７０を分配する。
【００９７】
図１２に示されるように、分配業者Ｃ５の入力によって管理サーバ２０が取得する第１情報Ｔ５１は、少なくとも、冷媒出荷情報と、冷媒分配情報とを有する。冷媒出荷情報とは、分配業者Ｃ５が冷媒ボンベ４０又は再生用ボンベ７０に充填して出荷した冷媒に関する情報である。冷媒分配情報とは、分配業者Ｃ５が第１業者Ｃ１に分配した冷媒に関する情報である。
【００９８】
冷媒出荷情報は、分配業者Ｃ５の業者ＩＤである実施者ＩＤと、冷媒種別と、冷媒出荷量とを少なくとも有する。冷媒種別は、分配業者Ｃ５によって出荷された冷媒の種別である。冷媒出荷量は、分配業者Ｃ５によって出荷された冷媒の量である。冷媒出荷情報は、冷媒種別ごとのデータを有する。
【００９９】
冷媒分配情報は、分配業者Ｃ５の業者ＩＤである実施者ＩＤと、分配先ＩＤと、冷媒種別と、冷媒分配量と、実施年月日とを少なくとも有する。分配先ＩＤは、冷媒が分配された第１業者Ｃ１の業者ＩＤである。冷媒種別は、分配業者Ｃ５によって分配された冷媒の種別である。冷媒分配量は、分配業者Ｃ５によって分配された冷媒の量である。冷媒分配情報は、分配先ＩＤごと、及び、冷媒種別ごとのデータを有する。管理サーバ２０は、分配業者Ｃ５が冷媒分配情報を管理サーバ２０に入力した後に冷媒分配情報の登録を決定すると、冷媒分配情報を登録した日付を実施年月日として取得する。
【０１００】
管理サーバ２０は、分配業者Ｃ５が入力した情報と、管理サーバ２０が登録した実施年月日等の情報を取得し、図１２に示されるように、第１情報Ｔ５１を生成して冷媒管理データベースＤＢ６に保存する。
【０１０１】
（２−６）管理者のみが閲覧権限を有する第２情報
管理サーバ２０は、冷媒管理情報データベースＤＢ６に保存された第１情報及び第２情報に基づいて、各業者が取り扱う冷媒量に関する第２情報Ｔ９２を生成する。管理サーバ２０は、生成した第２情報Ｔ９２を、記憶部２２の冷媒管理情報データベースＤＢ６に登録する。業者は、入力端末１０ａ，１０ｂ，・・・を用いて、管理サーバ２０に記憶されている第２情報Ｔ９２を確認することができる。業者が確認することができる第２情報は、業者が閲覧権限を有する第２情報であり、例えば、業者が管理サーバ２０に入力したデータに基づいて管理サーバ２０が取得した第１情報から生成された第２情報Ｔ１１、Ｔ１２、Ｔ２１、Ｔ２２、・・・である。管理者Ｓは、管理者用端末８０を用いて、管理サーバ２０に記憶されている全ての第２情報を確認することができる。管理サーバ２０は、図８，９に示される第２情報の他に、取得した第１情報に基づいて、管理者Ｓのみが閲覧権限を有する第２情報Ｔ９２を生成する。
【０１０２】
図１３は、管理者Ｓのみが閲覧権限を有する各業者が取り扱う冷媒量に関する第２情報Ｔ９２の一例を説明するための図である。図１３に示される第２情報Ｔ９２は、冷媒管理システム１００全体において、業者に関する情報と、当該業者の業務対象となる冷媒使用機器３０に使用されている冷媒に関する情報とを関連付けた情報である。
【０１０３】
第２情報Ｔ９２に含まれる「業者に関する情報」とは、図１３に示される「業者ＩＤ」に相当する。これは、第１業者Ｃ１等の業者のＩＤである。「業者ＩＤ」は、具体的には、図８〜１２に示される実施者ＩＤである。図１３において、「ＣＡ００６」及び「ＣＡ０１５」は、据付業務とメンテナンス業務と回収業務とを行う第１業者Ｃ１の業者ＩＤである。「ＧＡ０１９」は、再生業者Ｃ４の業者ＩＤである。「ＨＡ０１９」は、分配業者Ｃ５の業者ＩＤである。
【０１０４】
第２情報Ｔ９２には「冷媒使用機器３０に使用されている冷媒に関する情報」として、図１３に示されるように、冷媒種別、冷媒保有量、冷媒使用量、冷媒回収予定量、冷媒回収量、冷媒再生量、冷媒廃却量、冷媒分配予定量及び冷媒分配量が含まれている。冷媒種別は、冷媒循環サイクルで流通している冷媒の種類を表す名称である。冷媒種別以外の情報は、冷媒循環サイクルで流通している冷媒の量に関する。
【０１０５】
冷媒保有量は、業者が保有している冷媒の総量である。
【０１０６】
冷媒使用量は、冷媒保有量のうち、業者が冷媒使用機器３０に使用している冷媒の総量である。業者が冷媒使用機器３０に使用している冷媒とは、冷媒使用機器３０、及び、冷媒使用機器３０に接続される冷媒配管に充填されている冷媒である。業者が据付業者Ｃ１又はメンテナンス業者Ｃ１である場合、冷媒使用量は、業務対象となる全ての冷媒使用機器３０、及び、冷媒使用機器３０に接続される冷媒配管に充填されている冷媒の総量である。冷媒使用量は、冷媒保有量から、業者が冷媒ボンベ４０及び再生用ボンベ７０内に保有している冷媒量を引いた値である。冷媒使用量は、例えば、図８，９に示される第２情報Ｔ１１、Ｔ１２、Ｔ２１、Ｔ２２、・・・に含まれる「冷媒使用量」に基づいて算出される。
【０１０７】
冷媒回収予定量は、据付業者Ｃ１又はメンテナンス業者Ｃ１の冷媒使用量のうち、回収業者Ｃ１によって所定期間内に冷媒使用機器３０から回収される見込みがある冷媒の総量である。取得部２１は、第１情報に基づいて冷媒回収予定量を取得する。冷媒回収予定量は、例えば、据付時又は使用開始時から所定の期間が経過した冷媒使用機器３０に充填されている冷媒の総量である。所定の期間は、使用されている冷媒の種類、及び、冷媒使用機器３０の機種等に基づいて設定される。例えば、据付業務の実施日から１５年が経過した冷媒使用機器３０、及び、当該冷媒使用機器３０に接続されている冷媒配管に充填されている冷媒が、回収予定の冷媒として取り扱われる。
【０１０８】
具体的には、取得部２１は、第１情報に含まれる第３情報に基づいて冷媒回収予定量を取得する。第３情報は、実施年月日に関する情報である。ここで、実施年月日とは、作業日又は作業月である。作業日とは、据付情報及びメンテナンス情報の少なくとも一方が登録された日である。作業月とは、据付情報及びメンテナンス情報の少なくとも一方が登録された月である。
【０１０９】
冷媒回収量は、回収業者Ｃ１によって冷媒使用機器３０から回収された冷媒の総量である。冷媒回収量は、例えば、図１１に示される第１情報Ｔ４１に含まれる「再生前冷媒量」及び、図１０に示される第１情報Ｔ３１に含まれる冷媒回収量に基づいて算出される。
【０１１０】
本実施形態では、据付業者Ｃ１、メンテナンス業者Ｃ１及び回収業者Ｃ１は、同一の第１業者Ｃ１である。そのため、業者が第１業者Ｃ１である場合、第２情報Ｔ９２は、冷媒の量に関する情報として、冷媒使用量及び冷媒回収予定量の他に冷媒回収量も含む。
【０１１１】
冷媒再生量は、再生業者Ｃ４によって再生された冷媒の総量である。冷媒再生量は、例えば、図１１に示される第１情報Ｔ４１に含まれる「冷媒再生量」に基づいて算出される。
【０１１２】
冷媒廃却量は、再生業者Ｃ４によって再生されずに廃却された冷媒の総量である。
【０１１３】
冷媒分配予定量は、分配業者Ｃ５から分配される予定の冷媒の総量である。冷媒分配予定量は、例えば、据付業者Ｃ１及びメンテナンス業者Ｃ１から分配業者Ｃ５に、冷媒の分配に関する申請があった場合に、その申請の内容に基づいて算出される。申請の内容とは、例えば、過去に分配された冷媒の量、冷媒の最近の分配年月日、及び、冷媒の分配を申請する理由である。
【０１１４】
冷媒分配量は、分配業者Ｃ５から据付業者Ｃ１又はメンテナンス業者Ｃ１に分配された冷媒の総量である。冷媒分配量は、例えば、図１２に示される第１情報Ｔ５１に含まれる「冷媒分配量」に基づいて算出される。
【０１１５】
第２情報Ｔ９２に含まれている冷媒の量は、冷媒使用機器３０ごとの量であってもよい。この場合、第２情報Ｔ９２は、冷媒使用機器３０の機器ＩＤと、当該冷媒使用機器３０に使用されている冷媒使用量とを関連付けた情報であってもよい。
【０１１６】
このように、第２情報Ｔ９２は、冷媒使用機器３０に関する業務を行う業者に関する情報と、当該業者の業務対象である冷媒使用機器３０に使用されている冷媒の量とを関連付けた情報、かつ、冷媒使用機器３０に関する情報と、当該冷媒使用機器３０に使用されている冷媒の量とを関連付けた情報である。
【０１１７】
（３）効果
冷媒管理システム１００では、管理サーバ２０は、冷媒循環サイクルで流通している冷媒を一元的に把握して、冷媒に関する情報を各業者に提供することができる。具体的には、管理サーバ２０は、業者が入力した情報から取得した第１情報に基づいて、冷媒使用機器３０に使用されている冷媒の量と業者の情報とを関連付けた第２情報を生成して各業者に提供することができる。そのため、管理サーバ２０を備える冷媒管理システム１００は、冷媒循環サイクルの各段階において、市場に流通している冷媒の量を管理することができる。
【０１１８】
特に、冷媒管理システム１００では、管理サーバ２０は、据付業者Ｃ１による据付段階、及び、メンテナンス業者Ｃ１によるメンテナンス段階においても第１情報を取得することができる。据付段階及びメンテナンス段階は、回収業者Ｃ１によって冷媒が回収される回収段階よりも前の段階である。言い換えると、管理サーバ２０は、回収済みの冷媒に関する情報だけではなく、回収される前の冷媒に関する情報も取得することができる。そのため、冷媒管理システム１００は、回収業者Ｃ１によって回収される前の冷媒、例えば、冷媒使用機器３０に充填され使用されている冷媒の量まで管理することができる。これにより、冷媒管理システム１００の管理者Ｓは、将来的な冷媒の回収量を予測して、冷媒の生産及び分配等に関する冷媒管理の長期的な計画を立てやすくなる。さらに、管理者Ｓは、冷媒管理の長期的な計画に基づいて、例えば、冷媒製造業者Ｃ７が生産可能な冷媒の量の範囲内において、据付業者Ｃ１及びメンテナンス業者Ｃ１に供給する冷媒の量の管理をスムーズに行うことができる。
【０１１９】
（４）特徴
（４−１）
従来、冷媒使用機器に使用される冷媒に関して、回収業者に引き渡された又は引き渡される予定の冷媒に関する情報に基づいて、冷媒の量を把握又は管理することができるシステムが知られている。しかし、このようなシステムでは、図１に示される冷媒循環サイクルの各段階において、市場に流通している冷媒の量まで把握又は管理することが難しく、特に、回収業者に引き渡される前の冷媒の量を把握又は管理することが難しい。
【０１２０】
本実施形態の冷媒管理システム１００では、管理サーバ２０の取得部２１は、冷媒使用機器３０の据付時、及び、冷媒使用機器３０のメンテナンス時の少なくとも１つの時点において、第１情報を取得する。第１情報は、機器特定情報と、業者情報と、冷媒追加充填量情報とを少なくとも有する。取得部２１は、第１情報の機器特定情報に基づいて冷媒既充填量を取得し、冷媒既充填量と、第１情報の冷媒追加充填量情報に含まれる冷媒追加充填量とを合計することで冷媒使用量を取得する。管理サーバ２０の生成部２３は、冷媒使用量と、第１情報の業者情報とを用いて、冷媒使用量と業者とを関連づけた第２情報を生成する。
【０１２１】
このように、取得部２１は、冷媒使用機器３０に使用される冷媒の回収時よりも前の時点において、言い換えると、図１に示される冷媒循環サイクルの据付段階又はメンテナンス段階において、第２情報を生成するために必要な第１情報を取得することができる。従って、冷媒管理システム１００は、回収業者に回収される前の冷媒に関する情報を取得して、各冷媒使用機器３０に充填され使用されている冷媒の量を業者と関連付けて管理することができる。
【０１２２】
また、取得部２１は、冷媒循環サイクルで流通している冷媒に関する第１情報を、冷媒循環サイクルの各段階において収集することができる。冷媒循環サイクルの各段階とは、図１に示されるように、生産段階、分配段階、据付段階、メンテナンス段階、回収段階、再生段階、及び、廃却段階である。生成部２３は、冷媒循環サイクルの各段階において収集した第１情報に基づいて第２情報を生成することができる。
【０１２３】
従って、冷媒管理システム１００は、冷媒使用機器３０に使用される冷媒を取り扱う業者から収集した第１情報に基づいて第２情報を生成することで、市場に流通している冷媒の量を管理することができる。これにより、例えば、冷媒管理システム１００の管理者Ｓは、管理者用端末８０を用いて管理サーバに記憶されている第２情報を参照することで、市場に流通している冷媒の量に関する情報を把握することができ、これにより、冷媒の適切な生産量を取得することができる。
【０１２４】
（４−２）
本実施形態の冷媒管理システム１００では、管理サーバ２０の記憶部２２は、機器特定情報と関連づけて冷媒既充填量を記憶しているので、取得部２１は、取得した第１情報の機器特定情報に基づいて、記憶している冷媒既充填量を取得することができる。そのため、冷媒管理システム１００は、第１情報のみに基づいて冷媒使用量を取得することができる。
【０１２５】
（４−３）
本実施形態の冷媒管理システム１００では、取得部２１は、取得した第１情報の機器特定情報に基づいて冷媒使用機器３０の能力に関する能力情報を取得し、取得した能力情報に基づいて冷媒既充填量を取得することができる。そのため、冷媒管理システム１００は、冷媒使用機器３０の冷媒既充填量が管理サーバ２０に登録されていない場合でも、管理サーバ２０に予め登録されている能力情報に基づいて冷媒既充填量の予測値を取得することができる。
【０１２６】
（４−４）
本実施形態の冷媒管理システム１００では、取得部２１は、冷媒使用機器３０の能力に関する能力情報を含む入力データを取得し、入力データに含まれる能力情報に基づいて冷媒既充填量を取得することができる。そのため、冷媒管理システム１００は、冷媒使用機器３０の冷媒既充填量が管理サーバ２０に登録されていない場合でも、業者によって管理サーバ２０に入力された能力情報に基づいて冷媒既充填量の予測値を取得することができる。
【０１２７】
（４−５）
本実施形態の冷媒管理システム１００では、図７のステップＳ１２〜Ｓ１５に示されるように、取得部２１は、機器特定情報又は能力情報に基づいて冷媒既充填量を取得することができる。具体的には、取得部２１は、機器特定情報と関連づけて冷媒既充填量を記憶している場合には、取得した第１情報の機器特定情報に基づいて冷媒既充填量を取得し、機器特定情報と関連づけて冷媒既充填量を記憶していない場合には、取得した第１情報の機器特定情報に基づいて取得した能力情報に基づいて冷媒既充填量の予測値を取得する。そのため、冷媒管理システム１００は、管理サーバ２０に登録されている情報に応じて、冷媒既充填量として用いることができる適切な値を取得することができる。
【０１２８】
（４−６）
本実施形態の冷媒管理システム１００では、取得部２１は、業者が業務対象としている複数の冷媒使用機器３０の冷媒使用量の総量を取得して、生成部２３は、冷媒使用量の総量と業者とを関連づけた情報を第２情報としてさらに生成することができる。そのため、冷媒管理システム１００は、各業者が業務対象としている全ての冷媒使用機器３０に充填され使用されている冷媒の量を業者と関連付けて管理することができる。
【０１２９】
（４−７）
本実施形態の冷媒管理システム１００では、取得部２１は、所定期間内に冷媒使用機器３０から回収される予定の冷媒の量である冷媒回収予定量を取得し、生成部２３は、冷媒回収予定量と業者とを関連づけた情報を第２情報としてさらに生成することができる。そのため、冷媒管理システム１００は、据付業者及びメンテナンス業者が業務対象としている冷媒使用機器３０から回収される見込みがある冷媒の量を管理することができる。
【０１３０】
（４−８）
本実施形態の冷媒管理システム１００では、取得部２１は、据付情報及びメンテナンス情報の少なくとも一方が登録された作業日又は作業月を含む第３情報に基づいて冷媒回収予定量を取得する。例えば、取得部２１は、第３情報に含まれる作業日又は作業月から所定期間が経過した冷媒使用機器３０に使用されている冷媒の量に基づいて冷媒回収予定量を取得する。そのため、冷媒管理システム１００は、所定期間内に冷媒使用機器３０から回収される冷媒の量の適切な予測値として冷媒回収予定量を用いることができる。
【０１３１】
（４−９）
冷媒管理システム１００では、取得部２１は、冷媒使用機器３０に関する業務を行う業者が入力したデータに基づいて第１情報を取得する。業者とは、具体的には、図１に示されるように、第１業者Ｃ１、再生業者Ｃ４及び分配業者Ｃ５である。これらの業者は、所定のデータを管理サーバ２０に入力するための入力端末１０ａ，１０ｂ，・・・を所有している。そのため、業者は、冷媒使用機器３０に使用される冷媒に関する業務を行う現場において、業務の実行中、又は、業務の完了直後に、入力端末１０ａ，１０ｂ，・・・を用いて所定のデータを管理サーバ２０に入力することができる。
【０１３２】
（４−１０）
冷媒管理システム１００では、取得部２１が第１情報を取得するために、業者は、業務に関する情報を全て管理サーバ２０に入力する必要がないので、入力端末１０ａ，１０ｂ，・・・の操作に必要な時間を短縮でき、入力ミスを抑制することができる。
【０１３３】
（５）変形例
（５−１）変形例Ａ
図１に示される再生段階では、冷媒の再生業者によって、回収業者によって回収された冷媒の再生処理が行われる。しかし、回収された冷媒が再生できない場合には、回収業者又は再生業者によって、回収された冷媒の少なくとも一部が廃却されてもよい。回収業者又は再生業者以外の専門の業者によって、回収された冷媒の少なくとも一部が廃却されてもよい。回収された冷媒が再生できない場合とは、例えば、汚染及び変質等により冷媒が物理的又は化学的に再生できない場合、又は、冷媒の再生処理にかかるコストが大きく再利用の目的で冷媒を再生することが現実的ではない場合である。
【０１３４】
この場合、冷媒を廃却する業務を行う廃却業者Ｃ９は、所定の情報を管理サーバ２０に入力してもよい。所定の情報とは、業務対象である冷媒使用機器３０の機器ＩＤ等である。図１４は、廃却業者Ｃ９の入力によって取得部２１が取得する第１情報Ｔ６１を説明するための図である。廃却業者Ｃ９は、回収業者Ｃ１及び再生業者Ｃ４とは異なる業者であるとする。
【０１３５】
廃却業者Ｃ９は、例えば、回収業者Ｃ１から回収用ボンベ５０を受け取る。回収業者Ｃ１から受け取った回収用ボンベ５０には、再生することができないために廃却される予定の冷媒が充填されている。この場合、回収業者Ｃ１は、冷媒使用機器３０から回収した冷媒が充填された回収用ボンベ５０を、再生業者Ｃ４に引き渡すための回収用ボンベ５０と、廃却業者Ｃ９に引き渡すための回収用ボンベ５０とに予め分類しておく。
【０１３６】
図１４に示されるように、廃却業者Ｃ９の入力によって取得部２１が取得する第１情報Ｔ６１は、少なくとも、冷媒回収情報と、冷媒廃却情報とを有する。冷媒回収情報とは、廃却業者Ｃ９によって廃却される前の冷媒に関する情報である。冷媒廃却情報とは、廃却業者Ｃ９によって廃却された後の冷媒に関する情報である。
【０１３７】
冷媒回収情報は、回収業者Ｃ１の業者ＩＤである実施者ＩＤと、冷媒種別と、冷媒回収量とを少なくとも有する。冷媒種別は、回収業者Ｃ１によって回収された冷媒の種別である。冷媒回収量は、回収業者Ｃ１によって回収された冷媒の量である。冷媒回収情報は、回収業者Ｃ１ごと、及び、冷媒種別ごとのデータを有する。
【０１３８】
冷媒廃却情報は、廃却業者Ｃ９の業者ＩＤである実施者ＩＤと、冷媒種別と、冷媒廃却量と、実施年月日とを少なくとも有する。
【０１３９】
（５−２）変形例Ｂ
実施形態では、据付業者、メンテナンス業者及び回収業者は、同一の第１業者Ｃ１である。しかし、据付業者、メンテナンス業者及び回収業者は、互いに異なる業者であってもよい。その場合、それぞれの業者に業務に関する全ての情報を入力させるようにしてもよく、上記の実施例と同様に管理サーバ２０のデータベースに既に登録されている情報をそれぞれの業者に提供することで入力を簡素化してもよい。
【０１４０】
図１５は、本変形例における、管理者Ｓのみが閲覧権限を有する第２情報を説明するための図である。図１５において、「ＣＡ００６」は、据付業者の業者ＩＤであり、「ＤＡ００９」は、メンテナンス業者の業者ＩＤであり、「ＦＡ０１２」は、回収業者の業者ＩＤであり、「ＧＡ０１９」は、再生業者の業者ＩＤであり、「ＨＡ０１９」は、分配業者の業者ＩＤである。
【０１４１】
本変形例では、据付業者及びメンテナンス業者は、冷媒使用機器３０から冷媒を回収する業務を行わない。そのため、図１５に示されるように、据付業者又はメンテナンス業者に関する情報は、冷媒使用量及び冷媒回収予定量を含み、冷媒回収量を含まない。回収業者に関する情報は、冷媒回収量のみを含む。
【０１４２】
また、機器製造業者、冷媒製造業者、分配業者、据付業者、メンテナンス業者、回収業者、再生業者及び廃却業者のいずれかの業者が、同一の業者であってもよく、又は、それぞれが異なる業者であってもよい。例えば、機器製造業者と冷媒製造業者と分配業者と据付業者とが同一業者であってもよく、据付業者と回収業者と再生業者と廃却業者とが同一業者であってもよい。言い換えると、上記のどの業者が同一の業者であるかは特に限定されない。
【０１４３】
（５−３）変形例Ｃ
冷媒管理システム１００では、生成部２３によって生成され、管理者Ｓのみが閲覧権限を有する第２情報は、図１３に示されるように、冷媒使用機器３０に関する業務を行う業者に関する情報と、業者の業務対象となる冷媒使用機器３０に使用されている冷媒とを関連付けた情報である。
【０１４４】
しかし、管理者Ｓのみが閲覧権限を有する第２情報は、冷媒使用機器３０に関する情報と、冷媒使用機器３０に使用されている冷媒とを関連付けた情報であってもよい。この場合、管理者Ｓのみが閲覧権限を有する第２情報は、図１６に示されるように、冷媒使用機器３０に関する情報の一例として冷媒使用機器３０が設置されている物件の物件ＩＤと、その物件に設置されている冷媒使用機器３０の冷媒の量に関する情報とが関連付けられている情報でもよい。図１６では、冷媒使用機器３０の冷媒の量に関する情報として、冷媒種別と、冷媒量とが示されている。ここで、冷媒量とは、例えば、対応する物件に設置されている冷媒使用機器３０、及び、当該冷媒使用機器３０に接続された冷媒配管に充填されている冷媒の量である。
【０１４５】
また、管理者Ｓのみが閲覧権限を有する第２情報は、図１７に示されるように、冷媒使用機器３０に関する情報の一例として冷媒使用機器３０の保有者の機器保有者ＩＤと、その保有者が保有する冷媒使用機器３０の冷媒の量に関する情報とが関連付けられている情報でもよい。図１７では、冷媒使用機器３０の冷媒の量に関する情報として、冷媒種別と、冷媒量とが示されている。
【０１４６】
冷媒使用機器３０に関する情報は、上記に限定されることなく、例えば、機器ＩＤ、機器製造業者ＩＤ、機器保有者ＩＤ及び機器設置場所情報の少なくとも１つであってよい。
【０１４７】
管理者Ｓのみが閲覧権限を有する第２情報は、冷媒使用機器３０に関する業務を行う業者に関する情報と、業者の業務対象となる冷媒使用機器３０に使用されている冷媒とを関連付けた情報、及び、冷媒使用機器３０に関する情報と、冷媒使用機器３０に使用されている冷媒とを関連付けた情報の両方を含んでもよい。
【０１４８】
（５−４）変形例Ｄ
冷媒管理システム１００では、管理サーバ２０は、冷媒管理システム１００の管理者Ｓによって管理される。ここで、管理者Ｓは、入力端末１０ａ，１０ｂ，・・・を使用する業者と同じであってもよい。例えば、実施形態において、管理者Ｓは、第１業者Ｃ１に所属していてもよい。
【０１４９】
（５−５）変形例Ｅ
実施形態では、管理サーバ２０の取得部２１は、冷媒使用機器３０の機器ＩＤを用いて機器情報データベースＤＢ１にアクセスすることで、当該冷媒使用機器３０の冷媒既充填量を取得することができ、冷媒既充填量が機器情報データベースＤＢ１に登録されていない場合は、能力情報から予測して冷媒使用機器３０の冷媒既充填量を取得する。
【０１５０】
本変形例では、ステップＳ１６において冷媒使用機器３０の冷媒既充填量が入力される場合において、業者が入力端末１０ａ，１０ｂ，・・・を操作して冷媒既充填量を管理サーバ２０に直接入力してもよい。また、業者が入力端末１０ａ，１０ｂ，・・・を操作して、冷媒既充填量に関する複数の選択肢から適切な冷媒既充填量を選択してもよい。
【０１５１】
また、取得部２１は、冷媒使用機器３０の機種名又は機器ＩＤから冷媒使用機器３０の能力を推定し、推定した能力から冷媒既充填量を取得してもよい。また、取得部２１は、冷媒使用機器３０の能力情報を業者に入力させるように促し、入力された能力情報から冷媒既充填量を取得してもよい。
【０１５２】
（５−６）変形例Ｆ
実施形態では、業者が管理サーバ２０にログインした後、業者は管理サーバ２０に業務に関する情報を直接入力している。しかし、業者が自身の端末等に入力した情報が、管理サーバ２０に送信されることで管理サーバ２０に情報が入力されてもよい。
【０１５３】
（５−７）変形例Ｇ
実施形態では、据付業者が据付情報を入力した後に、メンテナンス業者及び回収業者がそれぞれメンテナンス情報及び回収情報を入力するが、据付情報が存在しない冷媒使用機器又は物件のメンテナンス情報をメンテナンス業者が管理サーバ２０に登録してもよい。
【０１５４】
（５−８）変形例Ｈ
実施形態では、実施年月日は、作業日又は作業月である。実施形態では、作業日又は作業月は、据付情報及びメンテナンス情報の少なくとも一方が登録された日又は月である。しかし、作業日は、据付業者Ｃ１が実際の据付作業を行った日、及び、メンテナンス業者Ｃ１が実際のメンテナンス作業を行った日の少なくとも一方であってもよく、作業月は、据付業者Ｃ１が実際の据付作業を行った月、及び、メンテナンス業者Ｃ１が実際のメンテナンス作業を行った月の少なくとも一方であってもよい。この場合、管理サーバ２０は、据付業者Ｃ１及びメンテナンス業者Ｃ１に作業日又は作業月を入力させてもよい。
【０１５５】
（６）むすび
以上、本開示の実施形態を説明したが、特許請求の範囲に記載された本開示の趣旨及び範囲から逸脱することなく、形態や詳細の多様な変更が可能なことが理解されるであろう。
【産業上の利用可能性】
【０１５６】
冷媒管理システムは、冷媒使用機器に使用されている冷媒の量を管理するために利用可能である。
【符号の説明】
【０１５７】
２０    管理サーバ（コンピュータ）
２１    取得部
２２    記憶部
２３    生成部
３０    冷媒使用機器
１００    冷媒管理システム
【先行技術文献】
【特許文献】
【０１５８】
【特許文献１】特開２０１５−１２５６７２号公報